(57)【要約】  フレキシブルディスプレイ装置が開示される。本フレキシブルディスプレイ装置は、画面上の第１位置に客体をディスプレイするディスプレイ部と、ディスプレイ部のベンディングを検知する検知部と、ベンディングが維持される間、ベンディングの検知された画面上の位置を基盤に客体の位置を移動させる制御部とを含み、制御部は、客体が予め設定された第２位置に移動されると、第２位置にマッピングされた機能が行われるように制御する。
2015535974.tif 000002
【特許請求の範囲】
【請求項１】
フレキシブルディスプレイ装置の情報ディスプレイ方法において、
前記フレキシブルディスプレイ装置のフレキシブルディスプレイ上の第１位置に客体をディスプレイするステップと、
前記フレキシブルディスプレイの変形（ｄｅｆｏｒｍａｔｉｏｎ）を検知するステップと、
前記変形に基づいて前記フレキシブルディスプレイ上の前記客体の第２位置を判断（ｄｅｔｅｒｍｉｎｅ）するステップと、
前記第２位置と連携された前記フレキシブルディスプレイ装置の動作（ｆｕｎｃｔｉｏｎ）を実行するステップと
を含むフレキシブルディスプレイ装置の情報ディスプレイ方法。
【請求項２】
前記動作は、前記フレキシブルディスプレイ装置のロック画面を解除（ｕｎｌｏｃｋ）することを特徴とする請求項１に記載のフレキシブルディスプレイ装置の情報ディスプレイ方法。
【請求項３】
前記動作は、
前記ロック画面を解除するステップと、
前記第２位置と連携されたアプリケーションを実行するステップと
を含むことを特徴とする請求項２に記載のフレキシブルディスプレイ装置の情報ディスプレイ方法。
【請求項４】
前記動作は、
前記ロック画面を解除するステップと、
前記フレキシブルディスプレイ装置のメイン画面を表示するステップと
を含むことを特徴とする請求項２に記載のフレキシブルディスプレイ装置の情報ディスプレイ方法。
【請求項５】
前記動作を実行するステップは、
前記ディスプレイのベンディングの程度に応じて異なるように（ｄｉｆｆｅｒｅｎｔｌｙ）前記客体の移動距離を調整するステップを含むことを特徴とする請求項１に記載のフレキシブルディスプレイ装置の情報ディスプレイ方法。
【請求項６】
フレキシブルディスプレイ装置において、
フレキシブルディスプレイと、
前記フレキシブルディスプレイの変形（ｄｅｆｏｒｍａｔｉｏｎ）を検知する検知部（ｓｅｎｓｏｒ）と、
前記変形に基づいて前記フレキシブルディスプレイ上で位置を変更する移動可能な客体を表示するように前記フレキシブルディスプレイを制御し、前記変形に基づいて前記フレキシブルディスプレイ上で前記移動可能な客体の位置を変更するように前記フレキシブルディスプレイを制御する制御部と、
を含むフレキシブルディスプレイ装置。
【請求項７】
前記変更された位置は、前記フレキシブルディスプレイ装置の動作に相応し、
前記制御部は、
前記変形に基づいて前記フレキシブルディスプレイ上の前記移動可能な客体の位置を前記変更された位置に変更するように前記フレキシブルディスプレイを制御する際、前記動作を実行することを特徴とする請求項６に記載のフレキシブルディスプレイ装置。
【請求項８】
前記動作は、前記フレキシブルディスプレイ装置のロック画面を解除する解除動作を含むことを特徴とする請求項７に記載のフレキシブルディスプレイ装置。
【請求項９】
前記動作は、前記フレキシブルディスプレイ装置のアプリケーションを実行するアプリケーション実行動作を含むことを特徴とする請求項７に記載のフレキシブルディスプレイ装置。
【請求項１０】
前記制御部は、前記変形の持続時間（ｄｕｒａｔｉｏｎ）に基づいて前記変更された位置を判断することを特徴とする請求項６に記載のフレキシブルディスプレイ装置。
【請求項１１】
前記制御部は、前記変形の位置に基づいて前記変更された位置を判断することを特徴とする請求項６に記載のフレキシブルディスプレイ装置。
【請求項１２】
前記制御部は、前記変形の位置に関連して、前記移動可能な客体の位置に基づいて前記変更された位置を判断することを特徴とする請求項１１に記載のフレキシブルディスプレイ装置。
【請求項１３】
前記変形は、前記フレキシブルディスプレイ装置のベンディングを含み、
前記制御部は、前記ベンディングの位置に垂直した（ｐｅｒｐｅｎｄｉｃｕｌａｒ）方向に基づいて前記変更された位置を判断することを特徴とする請求項１２に記載のフレキシブルディスプレイ装置。
【請求項１４】
前記客体は、アイコン（ｉｃｏｎ）及びイメージのうちの１つを含むことを特徴とする請求項６に記載のフレキシブルディスプレイ装置。
【発明の詳細な説明】
【技術分野】
【０００１】
本発明は、フレキシブルディスプレイ装置及びそのディスプレイ方法に関し、より詳細には、形が変形可能なディスプレイ部を備えたフレキシブルディスプレイ装置及びそのディスプレイ方法に関する。
【背景技術】
【０００２】
電子技術の発達により、多様なディスプレイ装置が開発されている。特に、テレビやパソコン、ラップトップコンピュータ、タブレットパソコン、携帯電話、ＭＰ３プレーヤなどのようなディスプレイ装置は殆どの家庭で使用されるほどに普及率が高い。
【０００３】
最近は、より新しくかつ多様な機能を望むユーザのニーズ（ｎｅｅｄｓ）に応えるべく、ディスプレイ装置をより新しい形態に開発するための取り組みが行われている。いわゆる、次世代ディスプレイと呼ばれるものである。
【０００４】
次世代ディスプレイ装置の一例としてフレキシブルディスプレイ装置がある。フレキシブルディスプレイ装置とは、まるで紙のように変形自在な特性を有するディスプレイ装置を意味する。
【０００５】
フレキシブルディスプレイ装置は、ユーザが力を加えてベンディングさせて形状を変形させることができるため、多様な用途で使用することができる。例えば、携帯電話やタブレットパソコン、デジタルフォトフレーム、ＰＤＡ、ＭＰ３プレーヤ等のような携帯型装置で実現されてよい。
【０００６】
一方、フレキシブルディスプレイ装置は、既存のディスプレイ装置と違って柔軟という特性がある。このようなことを考慮し、ベンディングジェスチャをフレキシブルディスプレイ装置の入力手段として適用するための方策への模索が求められている。
【先行技術文献】
【特許文献】
【０００７】
【特許文献１】米国特開第２０１０−００１１２９１号公報
【特許文献２】米国特開第２０１０−０１２０４７０号公報
【特許文献３】米国特開第２０１２−０１３３６２１号公報
【特許文献４】米国特開第２０１０−００５６２２３号公報
【発明の概要】
【発明が解決しようとする課題】
【０００８】
そこで、本発明は、上記問題に鑑みてなされたものであり、本発明の目的とするところは、ベンディングジェスチャを入力手段として活用することができるフレキシブルディスプレイ装置及びそのディスプレイ方法を提供することにある。
【課題を解決するための手段】
【０００９】
以上のような目的を達成するための本発明の一実施形態に係るフレキシブルディスプレイ装置は、画面上の第１位置に客体をディスプレイするディスプレイ部と、前記ディスプレイ部のベンディングを検知する検知部と、ベンディングが維持される間、前記ベンディングの検知された画面上の位置を基盤に前記客体の位置を移動させる制御部とを含み、前記制御部は、前記客体が画面上の予め設定された第２位置に移動されると、前記第２位置にマッピングされた機能が行われるように制御する。
【００１０】
この場合、前記画面はロック画面であり、前記制御部は、前記ロック画面上における客体が前記ベンディングによって予め設定された第２位置に移動すると、前記ロック状態を解除するロック解除動作を行ってよい。
なお、前記制御部は、前記ロック画面上の客体が予め設定された第２位置に移動すると、前記ロック解除動作を行い、前記第２位置にマッピングされた動作を自動的に行ってよい。
【００１１】
そして、前記制御部は、前記ロック状態が解除されるとメイン画面をディスプレイし、前記メイン画面上で１つのメニューが選択されると前記メニューに対応する機能を実行させ、実行結果画面をディスプレイしてよい。
この場合、前記制御部は、前記実行結果画面がディスプレイされている状態で前記ディスプレイ部が第１方向にベンディングされると、前記実行結果画面に含まれた少なくとも１つの客体を前記実行結果画面の周縁領域に整列してディスプレイしてよい。
なお、前記制御部は、前記少なくとも１つの客体の大きさ及び形状のうち、少なくとも１つを調整して前記周縁領域に整列してよい。
【００１２】
そして、前記制御部は、前記少なくとも１つの客体が前記周縁領域に整列されてディスプレイされた状態で、前記ディスプレイ部が前記第１方向の反対である第２方向にベンディングされると、前記少なくとも１つの客体を元の状態に復帰させてディスプレイしてよい。
【００１３】
一方、前記画面は、通話接続メニュー及び通話拒否メニューを更に含む電話接続画面であり、前記制御部は、通話要請が受信されると、前記電話接続画面をディスプレイするように前記ディスプレイ部を制御し、前記電話接続画面上の前記客体が前記ベンディングによって前記通話接続メニューの表示された位置に移動すると通話接続動作を行い、前記客体が前記通話拒否メニューの表示された位置に移動すると通話拒否動作を行ってよい。
なお、前記制御部は、前記ディスプレイ部のベンディング程度に応じて前記客体の移動距離を異なるように調整してよい。
【００１４】
一方、本発明の一実施形態に係るフレキシブルディスプレイ装置のディスプレイ方法は、ディスプレイ部の画面上の第１位置に客体をディスプレイするステップと、前記ディスプレイ部のベンディングを検知するステップと、前記ベンディングが維持される間、前記ベンディングの検知された画面上の位置を基盤に前記客体の位置を移動させ、前記客体が画面上の予め設定された第２位置に移動されると、前記第２位置にマッピングされた機能を行うステップとを含む。
【００１５】
この場合、前記画面はロック画面であり、前記機能を行うステップは、前記ロック画面上における客体が前記ベンディングによって予め設定された第２位置に移動すると、前記ロック状態を解除するロック解除動作を行ってよい。
なお、前記機能を行うステップは、前記ロック画面上の客体が予め設定された第２位置に移動すると、前記ロック解除動作を行い、前記第２位置にマッピングされた動作を自動的に行ってよい。
【００１６】
そして、本実施形態に係るディスプレイ方法は、前記ロック状態が解除されるとメイン画面をディスプレイし、前記メイン画面上で１つのメニューが選択されると前記メニューに対応する機能を実行させ、実行結果画面をディスプレイするステップを更に含んでよい。
【００１７】
この場合、本実施形態に係るディスプレイ方法は、前記実行結果画面がディスプレイされている状態で前記ディスプレイ部が第１方向にベンディングされると、前記実行結果画面に含まれた少なくとも１つの客体を前記実行結果画面の周縁領域に整列してディスプレイするステップを更に含んでよい。
なお、本実施形態に係るディスプレイ方法は、前記周縁領域に整列された前記少なくとも１つの客体の大きさ及び形状のうち、少なくとも１つを調整するステップを更に含んでよい。
【００１８】
そして、本実施形態に係るディスプレイ方法は、前記少なくとも１つの客体が前記周縁領域に整列されてディスプレイされた状態で、前記ディスプレイ部が前記第１方向の反対である第２方向にベンディングされると、前記少なくとも１つの客体を元の状態に復帰させてディスプレイするステップを更に含んでよい。
【００１９】
一方、前記画面は、通話接続メニュー及び通話拒否メニューを更に含む電話接続画面であり、前記機能を行うステップは、前記電話接続画面上の前記客体が前記ベンディングによって前記通話接続メニューの表示された位置に移動すると通話接続動作を行い、前記客体が前記通話拒否メニューの表示された位置に移動すると通話拒否動作を行ってよい。
なお、前記機能を行うステップは、前記ディスプレイ部のベンディング程度に応じて前記客体の移動距離を異なるように調整してよい。
【００２０】
一方、本発明の一実施形態に係るフレキシブルディスプレイ装置は、画面上の所定位置に客体をディスプレイするディスプレイ部と、前記ディスプレイ部のベンディングを検知する検知部と、ベンディングが維持される間、前記ベンディングの検知された位置を基盤に前記客体の位置を移動させる制御部とを含み、前記制御部は、前記客体の移動に対応する機能が行われるように制御する。
【００２１】
以上説明したように、本発明によれば、ディスプレイ部のベンディングを多様な機能を実行させようとする入力手段として使用することができるようになる。それにより、ユーザの便宜性が向上される。
【図面の簡単な説明】
【００２２】
【図１】本発明の一実施形態に係るフレキシブルディスプレイ装置の構成を示すブロック図である。
【図２】本発明の一実施形態に係るフレキシブルディスプレイ装置を構成するディスプレイ部の基本構造を説明するための図である。
【図３】本発明の一実施形態に係るフレキシブルディスプレイ装置がベンディングを検知する方法の一例を説明するための図である。
【図４】本発明の一実施形態に係るフレキシブルディスプレイ装置がベンディングを検知する方法の一例を説明するための図である。
【図５】本発明の一実施形態に係るフレキシブルディスプレイ装置がベンディングを検知する方法の一例を説明するための図である。
【図６】本発明の一実施形態に係るベンドセンサを用いてベンディング方向を検知する方法について説明するための図である。
【図７】本発明の別の実施形態に係るベンディング方向検知方法を説明するための図である。
【図８】本発明の一実施形態に係るベンディングに応じて画面上で客体が移動される一例を説明するための図である。
【図９】本発明の一実施形態に係るベンディングに応じて画面上で客体が移動される一例を説明するための図である。
【図１０】本発明の一実施形態に係るベンディングに応じて画面上で客体が移動される一例を説明するための図である。
【図１１】本発明の一実施形態においてディスプレイ部のベンディング状態によって客体の移動方向が変更される一例を説明するための図である。
【図１２】本発明の一実施形態においてディスプレイ部のベンディング状態によって客体の移動方向が変更される一例を説明するための図である。
【図１３】本発明の一実施形態においてベンディング維持時間に応じて客体の移動される距離を説明するための図である。
【図１４】本発明の一実施形態においてベンディング程度に応じて客体の移動される距離を説明するための図である。
【図１５】本発明の一実施形態によって客体が移動されてロック画面が解除される一例を説明するための図である。
【図１６】本発明の一実施形態によって客体が移動され、移動された位置にマッピングされた動作を行う一例を説明するための図である。
【図１７】本発明の一実施形態によって客体が移動され、移動された位置にマッピングされた動作を行う一例を説明するための図である。
【図１８】本発明の一実施形態に係る客体が移動され、移動された位置にマッピングされた動作を行う一例を説明するための図である。
【図１９】本発明の一実施形態によって多様な画面に客体がディスプレイされる方法を説明するための図である。
【図２０】本発明の一実施形態によって多様な画面に客体がディスプレイされる方法を説明するための図である。
【図２１】本発明の一実施形態によって多様な画面に客体がディスプレイされる方法を説明するための図である。
【図２２】本発明の一実施形態において客体を変更する方法を説明するための図である。
【図２３】本発明の一実施形態において客体を変更する方法を説明するための図である。
【図２４】本発明の一実施形態によってフレキシブルディスプレイ装置が動作を行うために適用され得る多様な方式に対する一例を説明するための図である。
【図２５】本発明の一実施形態によってフレキシブルディスプレイ装置が動作を行うために適用され得る多様な方式に対する一例を説明するための図である。
【図２６】本発明の一実施形態によってフレキシブルディスプレイ装置が動作を行うために適用され得る多様な方式に対する一例を説明するための図である。
【図２７】本発明の一実施形態によってフレキシブルディスプレイ装置が動作を行うために適用され得る多様な方式に対する一例を説明するための図である。
【図２８】本発明の一実施形態に係るディスプレイ部のベンディングを用いて画面をディスプレイする方法を説明するための図である。
【図２９】本発明の一実施形態に係るディスプレイ部のベンディングを用いて画面をディスプレイする方法を説明するための図である。
【図３０】本発明の一実施形態に係るベンディング方向に応じて客体の表示状態が変更される一例を説明するための図である。
【図３１】本発明の一実施形態に係るフレキシブルディスプレイ装置の細部構成を説明するためのブロック図である。
【図３２】本発明の一実施形態に係る制御部の細部構成を説明するための図である。
【図３３】本発明の多様な実施形態に係る制御部の動作をサポートするための保存部のソフトウェア構造を示す図である。
【図３４】本発明の一実施形態によって本体に内蔵されたフレキシブルディスプレイ装置の形態の一例を示す図である。
【図３５】本発明の一実施形態によって電源部が着脱可能な形態のフレキシブルディスプレイ装置を示す図である。
【図３６】本発明の一実施形態に係るフレキシブルディスプレイ装置のディスプレイ方法を説明するためのフローチャートである。
【発明を実施するための形態】
【００２３】
以下に添付図面を参照しながら、本発明の好適な実施形態について詳細に説明する。
図１は、本発明の一実施形態に係るフレキシブルディスプレイ装置の構成を示すブロック図である。図１によると、フレキシブルディスプレイ装置１００は、ディスプレイ部１１０と、検知部１２０及び制御部１３０を含む。
【００２４】
図１のフレキシブルディスプレイ装置１００は、携帯電話やスマートフォン、ＰＭＰ、ＰＤＡ、タブレットパソコン、ナビゲーション等のように、携帯可能であり、ディスプレイ機能を備えた多様な装置で実現されてよい。なお、フレキシブルディスプレイ装置１００は、携帯用装置だけでなく、モニタやテレビ、キヨスク端末等の据え置き型装置で実現されてよい。
【００２５】
ディスプレイ部１１０は、多様な画面をディスプレイする。具体的に、ディスプレイ部１１０は、イメージ、動画、テキスト、音楽等のようなコンテンツの再生画面または実行画面をディスプレイし、各種ＵＩ（Ｕｓｅｒ  Ｉｎｔｅｒｆａｃｅ）画面をディスプレイすることができる。例えば、フレキシブルディスプレイ装置１００にインストールされた各種アプリケーションを通じて多様なコンテンツが再生されると、ディスプレイ部１１０は当該アプリケーションで提供するコンテンツ再生画面をディスプレイすることができる。
【００２６】
一方、ディスプレイ部１１０を含むフレキシブルディスプレイ装置１００は、ベンディング可能な特性を有する。それにより、フレキシブルディスプレイ装置１００及びディスプレイ部１１０はフレキシブルな構造を有し、フレキシブルな材質で製作されなければならない。以下では、添付の図２を参照して、ディスプレイ部１１０の細部構成については、詳細に後述することにする。
【００２７】
図２は、本発明の一実施形態に係るフレキシブルディスプレイ装置を構成するディスプレイ部の基本構造を説明するための図である。図２によると、ディスプレイ部１１０は、基板１１１と、駆動部１１２と、ディスプレイパネル１１３及び保護層１１４を含む。
【００２８】
フレキシブルディスプレイ装置は、従来の平板ディスプレイ装置のディスプレイ特性をそのまま保持しながら、紙のように曲がったり、畳まれたり、または巻かれるようにできる装置を意味する。よって、フレキシブルディスプレイ装置は、柔軟な基板の上に製作されなければならない。
【００２９】
具体的に、基板１１１は、外部からの圧力によって変形できるプラスチック基板（例えば、高分子フィルム）で実現されてよい。
【００３０】
プラスチック基板は、基礎素材（ｂａｓｅ  ｆｉｌｍ）にバリアコーティング（ｂａｒｒｉｅｒ  ｃｏａｔｉｎｇ）が両面で施された構造を有する。基礎素材の場合、ＰＩ（Ｐｏｌｙｉｍｉｄｅ）、ＰＣ（Ｐｏｌｙｃａｒｂｏｎｉｔｅ）、ＰＥＴ（Ｐｏｌｙｅｔｈｙｌｅｎｅｔｅｒｅｐｈｔａｌａｔｅ）、ＰＥＳ（Ｐｏｌｙｅｔｈｅｒｓｕｌｆｏｎｅ）、ＰＥＮ（Ｐｏｌｙｔｈｙｌｅｎｅｎａｐｈｔｈａｌａｔｅ）、ＦＲＰ（Ｆｉｂｅｒ  Ｒｅｉｎｆｏｒｃｅｄ  Ｐｌａｓｔｉｃ）等の多様な樹脂で実現されてよい。そして、バリアコーティングは、基礎素材で対向する面に施され、柔軟性を保持するために有機膜または無機膜が利用されてよい。
【００３１】
一方、基板１１１は、プラスチック基板の他にも、ガラス薄膜（ｔｈｉｎ  ｇｌａｓｓ）または金属薄膜（ｍｅｔａｌ  ｆｏｉｌ）等のように、フレキシブルな特性を有する素材が使用されてよい。
【００３２】
駆動部１１２は、ディスプレイパネル１１３を駆動させる機能を具備する。具体的に、駆動部１１２は、ディスプレイパネル１１３を構成する複数の画素に駆動電圧を印加し、ａ−ｓｉ  ＴＦＴ、ＬＴＰＳ（Ｌｏｗ  Ｔｅｍｐｅｒａｔｕｒｅ  Ｐｏｌｙ  Ｓｉｌｉｃｏｎ）  ＴＦＴ、ＯＴＦＴ（Ｏｒｇａｎｉｃ  ＴＦＴ）等で実現されてよい。駆動部１１２は、ディスプレイパネル１１３の実現形態に応じて多様な形態で実現されてよい。一例として、ディスプレイパネル１１３は、複数の画素セルからなる有機発光体及びその有機発光体の両面を覆う電極層からなってよい。この場合、駆動部１１２は、ディスプレイパネル１１３の各画素セルに対応する複数のトランジスタを含んでよい。制御部１３０は、各トランジスタのゲートに電気信号を印加し、トランジスタに接続された画素セルを発光させる。それにより、映像が表示されることができる。
【００３３】
または、ディスプレイパネル１１３は、有機発光ダイオードの他にも、ＥＬ、ＥＰＤ（Ｅｌｅｃｔｒｏｐｈｏｒｅｔｉｃ  Ｄｉｓｐｌａｙ）、ＥＣＤ（Ｅｌｅｃｔｒｏｃｈｒｏｍｉｃ  Ｄｉｓｐｌａｙ）、ＬＣＤ（Ｌｉｑｕｉｄ  Ｃｒｙｓｔａｌ  Ｄｉｓｐｌａｙ）、ＡＭＬＣＤ、ＰＤＰ（Ｐｌａｓｍａ  Ｄｉｓｐｌａｙ  Ｐａｎｅｌ）等で実現されてよい。ただ、ＬＣＤの場合、自ら発光することができないことから、別途のバックライトが求められる。バックライトが使用されないＬＣＤの場合には、周辺の光を利用する。よって、バックライト無しにＬＣＤディスプレイパネル１１３を使用するためには、光量の多い屋外環境のような条件が満たされなければならない。
【００３４】
保護層１１４は、ディスプレイパネル１１３を保護する機能を具備する。例えば、保護層１１４には、ＺｒＯ、ＣｅＯ２、Ｔｈ  Ｏ２等の材料が利用されてよい。保護層１１４は、透明なフィルム状に製作され、ディスプレイパネル１１３の表面全体を覆うことができる。
【００３５】
一方、図２に示す例と違って、ディスプレイ部１１０は、電子ペーパーで実現されてよい。電子ペーパーは、紙に一般的なインクの特徴を適用したディスプレイとして、反射光を使用するということが一般の平板ディスプレイとは異なる点である。一方、電子ペーパーは、ツイストボールを利用したり、カプセルを利用した電気泳動を用いて絵または文字を変更することができる。
【００３６】
一方、ディスプレイ部１１０が透明な材質の構成要素からなる場合、ベンディングが可能であると同時に、透明な性質を有するディスプレイ装置でも実現されてよい。例えば、基板１１１は、透明な性質を有するプラスチックのようなポリマー材料で実現され、駆動部１１２が透明トランジスタで実現され、ディスプレイパネル１１３が透明有機発光層及び透明電極で実現される場合には、透明性を有することができる。
【００３７】
透明トランジスタとは、従来の薄膜トランジスタの不透明なシリコンを透明な亜鉛酸化物、酸化チタニウム等のような透明物質に代替して製作したトランジスタを意味する。なお、透明電極は、ＩＴＯ（Ｉｎｄｉｕｍ  Ｔｉｎ  Ｏｘｉｄｅ）やグラフェンのような新素材が使用されてよい。グラフェンとは、炭素原子が互いに連結され、蜂の巣模様の平面構造をなしつつ、透明な材質を有する物質を意味する。その他に、透明有機発光層も多様な材料で実現されてよい。
【００３８】
上述のように、ディスプレイ部１１０は、外部から作用する力によって、例えば、ベンディングのように変形（ｄｅｆｏｒｍａｔｉｏｎ）され、その形が変形されてよい。以下では、図３ないし図５を参照し、フレキシブルディスプレイ装置１００が変形を検知する方法について説明する。
【００３９】
図３ないし図５は、本発明の一実施形態に係るフレキシブルディスプレイ装置が変形を検知する方法の一例を説明するための図である。
【００４０】
検知部１２０は、例えば、ディスプレイ部１１０のベンディングを検知する。ここで、ベンディング（ｂｅｎｄｉｎｇ）とは、ディスプレイ部１１０が曲がる状態を意味する。ここで、ベンディングについて記述しているが、ベンディングは単なる例示に過ぎず、ローリング（Ｒｏｌｌｉｎｇ）、フォールディング（Ｆｏｌｄｉｎｇ）、ツイスティング（ｔｗｉｓｔｉｎｇ）のような変形がセンサ１２０によって検知（または、検出）されてよい。
【００４１】
そのために、検知部１２０は、ディスプレイ部１１０の前面や背面のような片面の表面に配置されたベンドセンサ（ｂｅｎｄ  ｓｅｎｓｏｒ）または両面両方に配置されたベンドセンサを含むことができる。
【００４２】
ここで、ベンドセンサとは、それ自体で曲げられ、その曲げ具合に応じて抵抗値が異なるという特性をもつセンサを意味する。ベンドセンサとは、光繊維ベンドセンサや、圧力センサ、ストレインゲージ（ｓｔｒａｉｎ  ｇａｕｇｅ）等のような多様な形態で実現されてよい。
【００４３】
図３は、本発明の一実施形態に係るベンドセンサの配置形態を説明するための図である。
【００４４】
図３の（ａ）は、複数個のバー状のベンドセンサが横方向及び縦方向にディスプレイ部１１０に配置され、格子状をなす例を示している。具体的に、ベンドセンサは、第１方向に並んでいるベンドセンサ１１−１ないし１１−５及び第１方向に垂直の第２方向に並んでいるベンドセンサ１２−１ないし１２−５を含む。各ベンドセンサは、互いに一定間隔だけ離隔配置されてよい。
【００４５】
一方、図３の（ａ）においては、横及び縦方向のそれぞれに、５つずつベンドセンサ１１−１ないし１１−５、１２−１ないし１２−５が配置されるものとして示しているが、それは一例に過ぎず、無論、ベンドセンサの数はディスプレイ部１１０の大きさ等に応じて変更されてよい。このように、ベンドセンサが横及び縦方向に配置されるのは、ディスプレイ部１１０の全域において行われるベンディングを検知するためのものであるため、一部分のみがフレキシブルな特性を有したり、一部分に対してのみベンディングを検知する必要のある装置である場合には、当該部分にのみベンドセンサが配置されてよい。
【００４６】
なお、図３の（ａ）のように、ベンドセンサがディスプレイ部１１０の前面に内蔵されてよいが、それは一例に過ぎず、ベンドセンサはディスプレイ部１１０の背面に内蔵されてよく、両面いずれにも内蔵されてよい。
【００４７】
なお、ベンドセンサの形態、数及び配置位置も多様に変更されてよい。例えば、ディスプレイ部１１０には、１つのベンドセンサまたは複数個のベンドセンサが組み合わせられてよい。ここで、１つのベンドセンサは、１つのベンディングデータを検知するものであってよいが、１つのベンドセンサが複数のベンディングデータを検知する複数のセンシングチャネルを有してよい。
【００４８】
図３の（ｂ）は、１つのベンドセンサがディスプレイ部１１０の片面に配置された一例を示す。図３の（ｂ）に示すように、ベンドセンサ２１はディスプレイ部１１０の前面で円形に配置されてよい。しかし、それは一例に過ぎず、ディスプレイ部１１０の背面に配置されてよく、四角等のような多様な多角形をなす閉曲線状で実現され得ることは勿論である。
【００４９】
図３の（ｃ）は、２つのベンドセンサが互いに交差するように配置された実施形態を示す。図３の（ｃ）によると、第１ベンドセンサ２２は、ディスプレイ部１１０の第１面上で第１対角線方向に配置され、第２ベンドセンサ２３は、第２面上で第２対角線方向に配置される。
【００５０】
一方、上述の多様な実施形態では、ライン状のベンドセンサが使用される場合を示しているが、検知部１２０は、ストレインゲージを複数個使用してベンディングを検知することもできる。
【００５１】
図３の（ｄ）は、ディスプレイ部１１０に複数のストレインゲージが配置された図を示す。ストレインゲージは、加わる力の大きさに応じて抵抗が大きく変化する金属または半導体を用いて、その抵抗値変化によって、測定対象物の表面の変形を検知するものである。通常、金属のような材料は外部からの力によって長さが伸びると抵抗値が増加し、長さが短くなると抵抗値が減少する特性がある。よって、抵抗値変化を検知すると、ディスプレイ部１１０のベンディングを検知することができる。
【００５２】
一方、図３の（ｄ）によると、ディスプレイ部１１０の周縁領域には複数のストレインゲージ３０−１、３０−２、…、３０−ｎ、…、３０−ｍ、…が配置される。ストレインゲージの数は、ディスプレイ部１１０のサイズや形、予め設定されたベンディング検知解像度等によって変化してよい。
【００５３】
以下では、検知部１２０が格子状に配置されたベンドセンサまたはストレインゲージを用いて、ディスプレイ部１１０のベンディングを検知する方法を説明する。
【００５４】
ベンドセンサは、電気抵抗を利用する電気抵抗式センサまたは光繊維の変形率を利用するマイクロ光繊維センサ形態で実現されてよいが、以下では、説明の便宜上、ベンドセンサが電気抵抗式センサで実現される場合を想定して説明する。
【００５５】
図４は、本発明の一実施形態に係るフレキシブルディスプレイ装置でベンディングを検知する方法を説明するための図である。
【００５６】
ディスプレイ部１１０がベンディングされると、ディスプレイ部１１０の片面または両面に配置されたベンドセンサも曲がり、ベンドセンサはかかる張力の強度に対応する抵抗値を出力する。
【００５７】
すなわち、検知部１２０は、ベンドセンサに印加される電圧の大きさまたはベンドセンサを流れる電流の大きさを用いてベンドセンサの抵抗値を検知し、検知された抵抗値の大きさを用いてディスプレイ部１１０のベンディングを検知することができる。
【００５８】
例えば、図４の（ａ）のように、ディスプレイ部１１０が横方向にベンディングされると、ディスプレイ部１１０の前面に内蔵されたベンドセンサ４１−１ないし４１−５も曲がり、加わる張力の大きさによる抵抗値を出力する。
【００５９】
この場合、張力の強度はベンディング程度に比例して大きくなる。仮に、図４の（ａ）のような形にディスプレイ部１１０がベンディングされると、中心領域のベンディング程度が最も大きくなる。よって、中心領域のベンドセンサ４１−１のａ３地点、ベンドセンサ４１−２のｂ３地点、ベンドセンサ４１−３のｃ３地点、ベンドセンサ４１−４のｄ３地点、ベンドセンサ４１−５のｅ３地点に最も大きい張力が働くようになり、それにより、各ベンドセンサ４１−１ないし４１−５はａ３地点、ｂ３地点、ｃ３地点、ｄ３地点及びｅ３地点で最も大きい抵抗値を有するようになる。
【００６０】
一方、外方向、例えば、ベンドセンサの周縁方向に進むにつれ、ベンディング程度が弱くなる。それにより、ベンドセンサ４１−１は、ａ３地点を基準として左側及び右側方向に進むにつれてａ３地点より小さい抵抗値を有するようになり、ベンディングが行われないａ１地点とその左側領域、ａ５地点とその右側領域はベンディングされる前と同一の抵抗値を有するようになる。それは、他のベンドセンサ４１−２ないし４１−５の場合も同様に適用される。
【００６１】
一方、制御部１３０は、検知部１２０の検知結果に基づいてディスプレイ部１１０のベンディングを判断することができる。具体的に、制御部１３０は、ベンドセンサの抵抗値変化の検知された地点との関係に基づいて、ベンディング領域の位置、ベンディング領域の大きさ、ベンディング領域の数、ベンディングラインの大きさ、ベンディングラインの位置、ベンディングラインの数、ベンディングラインの方向、ベンディングの回数等を判断することができる。
【００６２】
ベンディング領域は、ディスプレイ部１１０が曲がっている領域を意味する。ベンディングによってベンドセンナが同時に曲がるようになるため、ベンディング領域は元の状態とは異なる抵抗値を出力するベンドセンサが配置された全ての地点と定義されてよい。一方、抵抗値が変化しない領域は、ベンディングが行われていないフラット（ｆｌａｔ）領域と定義することができる。
【００６３】
それにより、制御部１３０は、抵抗値変化の検知された地点との間の距離が予め設定された距離以内なら、抵抗値を出力する地点を１つのベンディング領域と判断する。一方、制御部１３０は、抵抗値変化の検知された地点のうち、その間の距離が予め設定された距離以上に離隔された地点が存在すると、これらの地点を基準に相互異なるベンディング領域と区分することができる。
【００６４】
上述のように、図４の（ａ）において、ベンドセンサ４１−１のａ１地点からａ５地点まで、ベンドセンサ４１−２のｂ１地点からｂ５地点まで、ベンドセンサ４１−３のｃ１地点からｃ５地点まで、ベンドセンサ４１−４のｄ１地点からｄ５地点まで、ベンドセンサ４１−５のｅ１地点からｅ５地点まで、元の状態とは異なる抵抗値を有するようになる。この場合、各ベンドセンサ４１−１ないし４１−５で、抵抗値変化の検知された地点は相互予め設定された距離以内に位置して連続的に配置される。
【００６５】
よって、制御部１３０は、ベンドセンサ４１−１でａ１地点からａ５地点まで、ベンドセンサ４１−２でｂ１地点からｂ５地点まで、ベンドセンサ４１−３でｃ１地点からｃ５地点まで、ベンドセンサ４１−４でｄ１地点からｄ５地点まで、ベンドセンサ４１−５でｅ１地点からｅ５地点までを全て含む領域４２を１つのベンディング領域と判断する。
【００６６】
一方、ベンディング領域は、ベンディングラインを含んでよい。ベンディングラインとは、各ベンディング領域で最も大きい抵抗値が検出された地点を連結するラインと定義されてよい。それにより、制御部１３０は、ベンディング領域で最も大きい抵抗値が検出された地点を連結するラインをベンディングラインと判断することができる。
【００６７】
例えば、図４の（ａ）の場合、ベンドセンサ４１−１で最も大きい抵抗値を出力するａ３地点、ベンドセンサ４１−２で最も大きい抵抗値を出力するｂ３地点、ベンドセンサ４１−３で最も大きい抵抗値を出力するｃ３地点、ベンドセンサ４１−４で最も大きい抵抗値を出力するｄ３地点、ベンドセンサ４１−５で最も大きい抵抗値を出力するｅ３地点を連結するライン４３をベンディングラインと定義することができる。図４の（ａ）では、ベンディングラインがディスプレイ表面の中央領域で縦方向に形成された状態を示す。
【００６８】
一方、図４の（ａ）は、ディスプレイ部１１０が横方向にベンディングされた場合を説明するためのものである点において、格子状のベンドセンサのうち、横方向に配置されたベンドセンサのみを示している。すなわち、検知部１２０は、縦方向に配置されたベンドセンサを通じて、横方向にベンディングされる際と同一の方法を用いてディスプレイ部１１０が縦方向にベンディングされることを検知することができることは勿論である。更に、対角線方向にディスプレイ部１１０がベンディングされると、張力は横及び縦方向に配置されたベンドセンサの全てに加わるため、検知部１２０は横及び縦方向に配置されたベンドセンサの出力値に基づいてディスプレイ部１１０が対角線方向にベンディングされることを検知することができる。
【００６９】
その一方で、検知部１２０は、ストレインゲージを用いてディスプレイ部１１０のベンディングを検知することもできる。
【００７０】
具体的に、ディスプレイ部１１０がベンディングされると、ディスプレイ部１１０の周縁領域に配置されたストレインゲージに力が働くようになり、ストレインゲージは、加わる力に応じて相互異なる抵抗値を出力するようになる。それにより、制御部１３０は、ストレインゲージの出力値に基づいてベンディング領域の位置、ベンディング領域の大きさ、ベンディング領域の数、ベンディングラインの大きさ、ベンディングラインの位置、ベンディングラインの数、ベンディングラインの方向、ベンディング回数等を判断することができる。
【００７１】
例えば、図４の（ｂ）のように、ディスプレイ部１１０が横方向にベンディングされると、ディスプレイ部１１０の前面に内蔵された複数のストレインゲージのうち、ベンディングされた領域に配置されたストレインゲージ５１−ｐ、…、５１−ｐ＋５、５１−ｒ、…、５１−ｒ＋５に力が加わり、加わる力の大きさに対応する抵抗値を出力するようになる。それにより、制御部１３０は、元の状態と異なる抵抗値を出力するストレインゲージの位置した地点を全て含む領域５２を１つのベンディング領域と判断することができる。
【００７２】
そして、制御部１３０は、ベンディング領域内で元の状態と差の大きい抵抗値を出力する少なくとも２つのストレインゲージを連結したラインをベンディングラインと判断することができる。すなわち、制御部１３０は、ディスプレイ部１１０のベンディングに応じて、最も大きい力が加わる少なくとも２つのストレインゲージまたは最も大きい力と次に大きい力が加わる少なくとも２つのストレインゲージを連結したラインをベンディングラインと判断することができる。
【００７３】
例えば、図４の（ｂ）のように、ディスプレイ部１１０が横方向にベンディングされ、元の状態と差の大きい抵抗値を出力する第１ストレインゲージ５１−ｐ＋２と第２ストレインゲージ５１−ｒ＋３を連結したラインをベンディングラインと判断することができる。
【００７４】
一方、上述の実施形態においては、フレキシブルディスプレイ装置１００の前面にストレインゲージ５１−１、５１−２…が内蔵されているものとして示している。このように、ストレインゲージ５１−１、５１−２…がフレキシブルディスプレイ装置１００の前面に配置されることは、フレキシブルディスプレイ装置１００のＺ＋方向にベンディングされる際のベンディングを検知するためのものである。
【００７５】
ここで、フレキシブルディスプレイ装置１００のベンディング方向はベンディングされたフレキシブルディスプレイ装置１００の凸状領域の向く方向に定義されてよい。すなわち、フレキシブルディスプレイ装置１００の前面を２次元上のｘ−ｙ平面と仮定すると、ベンディングされたフレキシブルディスプレイ装置１００の凸状領域がｘ−ｙ平面に垂直のｚ軸のｚ−方向を向く場合、フレキシブルディスプレイ装置１００のベンディング方向はＺ＋方向になり、ベンディングされたフレキシブルディスプレイ装置１００の凸状領域がｚ軸のｚ＋方向を向く場合、フレキシブルディスプレイ装置１００のベンディング方向はＺ−方向になってよい。
【００７６】
よって、フレキシブルディスプレイ装置１００がＺ−方向にベンディングされることを検知するために、ストレインゲージはフレキシブルディスプレイ装置１００の背面に内蔵されてよい。しかし、それは一例に過ぎず、ストレインゲージはフレキシブルディスプレイ装置１００の片面に配置されてＺ＋方向及びＺ−方向へのベンディングを検知するように実現されてよい。
【００７７】
一方、検知部１２０は、ディスプレイ部１１０のベンディングされる程度、すなわち、ベンディング角度を検知することができる。ここで、ベンディング角度は、ディスプレイ部１１０がフラットな状態の時とベンディングによって曲がっている状態とがなす角度を意味してよい。
【００７８】
図５は、本発明の一実施形態に係るフレキシブルディスプレイ装置がディスプレイ部のベンディング角度を判断する方法を説明するための図である。
【００７９】
制御部１３０は、検知部１２０の検知結果に基づいて、ディスプレイ部１１０のベンディング角度を判断することができる。そのために、フレキシブルディスプレイ装置１００は、ディスプレイ部１１０のベンディング角度別にベンディングラインから出力される抵抗値を予め保存することができる。それにより、制御部１３０は、ディスプレイ部１１０のベンディング時にベンディングラインに位置するベンドセンサまたはストレインゲージから衆力される抵抗値の大きさを予め保存された抵抗値と比較し、検知された抵抗値の大きさにマッチングされるベンディング角度を判断することができる。
【００８０】
例えば、図５に示すように、ディスプレイ部１１０がベンディングされると、ベンディングラインに位置するベンドセンサ地点ａ４から最も大きい抵抗値が出力される。このとき、フレキシブルディスプレイ装置１００は、ベンディング角度別に予め保存された抵抗を用いて、ａ４地点から出力される抵抗値にマッチングされるベンディング角度（θ）を判断する。
【００８１】
一方、上述のように、フレキシブルディスプレイ装置１００のベンディング方向はＺ＋方向またはＺ−方向に区分されてよく、検知部１２０は、多様な方式でフレキシブルディスプレイ装置１００のベンディング方向を検知することができる。より具体的な説明のために、図６及び図７を参照する。
【００８２】
図６は、本発明の一実施形態に係るベンドセンサを用いてベンディング方向を検知する方法について説明するための図である。
【００８３】
制御部１３０は、検知部１２０の検知結果に基づいて、ディスプレイ部１１０のベンディング方向を判断することができる。そのために、検知部１２０は、多様な方式で（或いは配列で）配置されたベンドセンサを含むことができる。
【００８４】
例えば、図６の（ａ）のように、検知部１２０は、ディスプレイ部１１０の片側には重畳された２つのベンドセンサ７１、７２を含んでよい。この場合、片側方向にベンディングが行われるようになると、ベンディングが行われた地点から、上位ベンドセンサ７１及び下位ベンドセンサ７２の抵抗値が異なるように検出される。よって、制御部１３０は、同じ地点における両ベンドセンサ７１、７２の抵抗値を比較し、ベンディング方向を判断することができる。
【００８５】
具体的に、図６の（ｂ）のように、ディスプレイ部１１０がＺ＋方向にベンディングされると、ベンディングラインに該当するＡ地点で、上方ベンドセンサ７１より下方ベンドセンサ７２により大きい強度の張力がかかるようになる。それとは逆に、ディスプレイ部１１０がＺ−方向にベンディングされると、上方ベンドセンサ７１で下方ベンドセンサ７２より更に大きい強度の張力がかかるようになる。
【００８６】
よって、制御部１３０は、両ベンドセンサ７１、７２で、Ａ地点に該当する抵抗値を比較し、ベンディング方向を検知することができる。すなわち、制御部１３０は、重畳された２つのベンドセンサのうち、下位ベンドセンサから出力される抵抗値が同じ時点で上位ベンドセンサから出力される抵抗値より大きい場合、Ｚ＋方向にベンディングされると判断することができる。そして、制御部１３０は、重畳された２つのベンドセンサのうち、上位ベンドセンサから出力される抵抗値が同じ時点で下位ベンドセンサから出力される抵抗値より大きい場合、Ｚ−方向にベンディングされたと判断することができる。
【００８７】
一方、図６の（ａ）及び図６の（ｂ）においては、両ベンドセンサがディスプレイ部１１０の片側で互いに重畳されて配置された状態を示しているが、図９の（ｃ）のように、検知部１２０はディスプレイ部１１０の両面に配置されたベンドセンサを含んでよい。
【００８８】
図６の（ｃ）は、両ベンドセンサ７３、７４が、ディスプレイ部１１０の両面に配置された状態を示す。
【００８９】
それにより、ディスプレイ部１１０がＺ＋方向にベンディングされる際は、ディスプレイ部１１０の両面のうち、第１面に配置されたベンドセンサは圧縮力を受けるようになる一方、第２面に配置されたベンドセンサは張力を受けるようになる。一方、Ｚ−方向にベンディングされる際は、第２面に配置されたベンドセンサは圧縮力を受けるようになる一方、第１面に配置されたベンドセンサは張力を受けるようになる。このように、ベンディング方向に応じて両ベンドセンサから検知される値は互いに異なるように検出され、制御部１３０は、その値の検出特性に応じてベンディング方向を区分することができる。
【００９０】
一方、図６の（ａ）ないし図６の（ｃ）においては、２つのベンドセンサを用いてベンディング方向を検知するものとして説明したが、ディスプレイ部１１０の片面に配置されたストレインゲージだけでも、ベンディング方向を区分することもできる。
【００９１】
図７は、本発明の別の実施形態に係るベンディング方向検知方法を説明するための図である。具体的に、図７の（ａ）及び図７の（ｂ）は一例として、加速度センサを用いてベンディング方向を検知する方法を説明するための図である。
【００９２】
検知部１２０は、ディスプレイ部１１０の周縁領域に配置された複数の加速度センサを含んでよい。そして、制御部１３０は、検知部１２０の検知結果に基づいて、ディスプレイ部１１０のベンディング方向を判断することができる。
【００９３】
加速度センサは、動きが発生したとき、加速度及び加速度の方向を測定することができるセンサである。具体的には、加速度センサは、そのセンサの付着された装置の勾配に応じて変化する重力の加速度に対応するセンシング値を出力する。
【００９４】
よって、図７の（ａ）のように、ディスプレイ部１１０の両側の周縁領域に加速度センサ８１−１、８１−２をそれぞれ配置すると、ディスプレイ部１１０がベンディングされる際、加速度センサ８１−１、８１−２のそれぞれでセンシングされる出力値が変化する。制御部１３０は、加速度センサ８１−１、８１−２のそれぞれでセンシングされる出力値を用いてピッチ角（ｐｉｔｃｈ  ａｎｇｌｅ）及びロール角（ｒｏｌｅ  ａｎｇｌｅ）を演算する。それにより、制御部１３０は、加速度センサ８１−１、８１−２のそれぞれから検知されたピッチ角及びロール角の変化の程度に基づいてベンディング方向を判断することができる。
【００９５】
一方、図７の（ａ）においては、ディスプレイ部１１０が前面を基準に横方向の両側の周縁に加速度センサ８１−１、８１−２が配置された状態を示しているが、図７の（ｂ）のように、縦方向に配置されてよい。この場合、制御部１３０は、ディスプレイ部１１０縦方向にベンディングされると、縦方向の加速度センサ８１−３、８１−４のそれぞれから検知した測定値に応じてベンディング方向を検知することができる。
【００９６】
一方、図７の（ａ）及び図７の（ｂ）は、ディスプレイ部１１０の左右側の周縁または上下側の周縁に加速度センサが配置された状態を示しているが、加速度センサは、上下左右側の周縁のいずれにも配置されてよく、角領域に配置されてよい。
【００９７】
一方、上述の加速度センサ以外にジャイロセンサや地磁気センサを用いてベンディング方向を検知することもできる。ジャイロセンサは、回転運動が生じると、その速度方向に作用するコリオリの力を測定し、角速度を検出するセンサである。ジャイロセンサの測定値によると、どの方向に回転されたかを検出することができるため、ベンディング方向を検知することができる。地磁気センサは、２軸または３軸フラックスゲートを用いて方位角を検知するセンサである。地磁気センサで実現された場合、フレキシブルディスプレイ装置１００の各周縁部分に配置された地磁気センサは、その周縁部分がベンディングされると、位置移動が行われるようになり、それによる地磁気変化に対応する電気信号を出力する。制御部１３０は、地磁気センサから出力される値を用いてヨー角（ｙａｗ  ａｎｇｌｅ）を算出することができる。それにより、算出されたヨー角の変化に応じて、ベンディング領域及びベンディング方向等のような多様なベンディング特性を判断することができる。
【００９８】
以上のように、制御部１３０は、検知部１２０の検知結果に基づいてディスプレイ部１１０のベンディングを判断することができる。上述のセンサの構成及びセンシング方法は、個別的にフレキシブルディスプレイ装置１００に適用されてよく、互いに組み合わせられて適用されてよい。
【００９９】
なお、上述の実施形態では、ディスプレイ部１１０がベンディングされたと記載しているが、ディスプレイ部１１０は、フレキシブルディスプレイ装置１００とともにベンディングされるため、ディスプレイ部１１０のベンディングを検知することは、フレキシブルディスプレイ装置１００のベンディングを検知するものと見なすことができる。すなわち、ベンディングを検知するための構成がフレキシブルディスプレイ装置１００に設けられてよく、制御部１３０は、検知結果に基づいてフレキシブルディスプレイ装置１００のベンディングを判断することができる。
【０１００】
一方、検知部１２０は、ユーザがディスプレイ部１１０の画面をタッチする操作も検知することができる。この場合、検知部１２０は、感圧式または静電式タッチセンサを含んでよく、制御部１３０は、検知部１２０から伝達される電気信号に基づいてユーザがディスプレイ部１１０をタッチした地点の座標を判断することができる。
【０１０１】
制御部１３０は、フレキシブルディスプレイ装置１００の動作全般を制御する。特に、制御部１３０は、検知部１２０の検知結果に基づいてディスプレイ部１１０のベンディングを判断することができる。具体的に、制御部１３０は、ベンドセンサまたはストレインゲージから出力される抵抗値を用いてディスプレイ部１１０のベンディング有無、ベンディング領域の位置、ベンディング領域の大きさ、ベンディング領域の数、ベンディングラインの大きさ、ベンディングラインの位置、ベンディングラインの数、ベンディング方向、ベンディング角度、ベンディング回数等を判断することができる。それについては、図３ないし図７を参照して説明しているため、繰り返し説明は省略する。
【０１０２】
一方、ディスプレイ部１１０は、画面上の所定位置に客体をディスプレイすることができる。ここで、客体がディスプレイされる所定位置は製造時に設定されてよく、ユーザによって設定及び変更可能である。例えば、ユーザは別途のボタン（例えば、客体位置調節ボタン）またはフレキシブルディスプレイ装置１００にディスプレイされた別途のメニューを通じて画面上にディスプレイされた客体の位置を設定及び変更することができる。
【０１０３】
それにより、ディスプレイ部１１０は、画面上の第１位置に客体をディスプレイすることができる。ここで、客体は円形または多角形等多様な形状からなるグラフィック要素で、客体の形態、大きさ及びディスプレイされる位置等はユーザによって設定及び変更されてよい。
【０１０４】
制御部１３０は、ベンディングが維持される間、ベンディングの検知された画面上の位置を基盤に客体を位置を移動させる。
【０１０５】
具体的に、制御部１３０は、画面上でベンディングが行われた領域及びベンディング方向を考慮し、客体をＺ軸を基準に相対的に低い地点に位置する領域に客体を移動させることができる。ここで、ベンディングが行われた領域は、ベンディングラインが含まれた予め設定された大きさの領域であってよい。
【０１０６】
このとき、制御部１３０は、ベンディングラインを考慮して客体の移動方向を決定することができる。すなわち、制御部１３０は、客体をベンディングラインの垂直のラインに沿って、Ｚ軸を基準に相対的に低い地点に位置する領域に移動させることができる。
【０１０７】
より具体的な説明のために、図８ないし図１２を参照する。
【０１０８】
図８ないし図１２は、本発明の一実施形態によってベンディングに沿って画面上で客体が移動される一例を説明するための図である。
【０１０９】
図８のように、ディスプレイ部１１０の左側がＺ＋方向にベンディングされ、画面２１０上で客体２２０がベンディングの行われた領域の左側にディスプレイされた場合を仮定する。この場合、制御部１３０は、Ｚ軸を基準に相対的に低い位置に存在する領域、すなわち、客体を基準にベンディングの行われた領域方向に存在する領域に、客体を移動させることができる。それにより、客体２２０は、ディスプレイ部１１０の右側方向に移動されてよい。このとき、客体２２０は、ベンディングライン２３０と垂直のラインに沿ってディスプレイ部１１０の右側方向に移動されてよい。
【０１１０】
一方、図８に示してはいないが、ディスプレイ部１１０の左側がＺ＋方向にベンディングされ、画面２１０上で客体２２０がベンディングの行われた領域の右側にディスプレイされた場合を仮定する。この場合、制御部１３０は、Ｚ軸を基準に相対的に低い位置に存在する領域、すなわち、客体を基準にベンディングの行われた領域の反対方向に存在する領域に、客体を移動させることができる。それにより、客体２２０は、ディスプレイ部１１０の右側方向に移動されてよい。このとき、客体２２０は、ベンディングライン２３０と垂直のラインに沿ってディスプレイ部１１０の右側方向に移動されてよい。
【０１１１】
なお、ディスプレイ部１１０の右側がＺ＋方向にベンディングされ、画面２１０上で客体２２０がベンディングの行われる領域の右側にディスプレイされた場合を仮定する。この場合、制御部１３０は、Ｚ軸を基準に相対的に低い位置に存在する領域、すなわち、客体を基準にベンディングの行われた領域方向に存在する領域に、客体を移動させることができる。それにより、客体２２０はディスプレイ部１１０の左側方向に移動されてよい。このとき、客体２２０は、ベンディングライン２３０と垂直のラインに沿ってディスプレイ部１１０の左側方向に移動されてよい。
【０１１２】
なお、ディスプレイ部１１０の右側がＺ＋方向にベンディングされ、画面２１０上で客体２２０がベンディングの行われた領域の左側にディスプレイされた場合を仮定する。この場合、制御部１３０は、Ｚ軸を基準に相対的に低い位置に存在する領域、すなわち、客体を基準にベンディングの行われた領域の反対方向に存在する領域に、客体を移動させることができる。それにより、客体２２０は、ディスプレイ部１１０の左側方向に移動されてよい。このとき、客体２２０は、ベンディングライン２３０と垂直のラインに沿ってディスプレイ部１１０の左側方向に移動されてよい。
【０１１３】
一方、図９のように、ディスプレイ部１１０の左側がＺ−方向にベンディングされ、画面２１０上で客体２００がベンディングの行われた領域の左側にディスプレイされた場合を仮定する。この場合、制御部１３０は、Ｚ軸を基準に相対的に低い位置に存在する領域、すなわち、客体を基準にベンディングの行われた領域の反対方向に存在する領域に、客体を移動させることができる。それにより、客体２２０はディスプレイ部１１０の左側方向に移動されてよい。このとき、客体２２０は、ベンディングライン２３０と垂直のラインに沿ってディスプレイ部１１０の左側方向に移動されてよい。
【０１１４】
一方、図９に示してはいないが、ディスプレイ部１１０の左側がＺ−方向にベンディングされ、画面２１０上で客体２２０がベンディングの行われた領域の右側にディスプレイされた場合を仮定する。この場合、制御部１３０は、Ｚ軸を基準に相対的に低い位置に存在する領域、すなわち、客体を基準にベンディングの行われた領域方向に存在する領域に、客体を移動させることができる。それにより、客体２２０は、ディスプレイ部１１０の左側方向に移動されてよい。このとき、客体２２０は、ベンディングライン２３０と垂直のラインに沿ってディスプレイ部１１０の左側方向に移動されてよい。
【０１１５】
なお、ディスプレイ部１１０の右側がＺ−方向にベンディングされ、画面２１０上で客体２２０がベンディングの行われる領域の右側にディスプレイされた場合を仮定する。この場合、制御部１３０は、Ｚ軸を基準に相対的に低い位置に存在する領域、すなわち、客体を基準にベンディングの行われた領域の反対方向に存在する領域に、客体を移動させることができる。それにより、客体２２０はディスプレイ部１１０の右側方向に移動されてよい。このとき、客体２２０は、ベンディングライン２３０と垂直のラインに沿ってディスプレイ部１１０の右側方向に移動されてよい。
【０１１６】
なお、ディスプレイ部１１０の右側がＺ−方向にベンディングされ、画面２１０上で客体２２０がベンディングの行われた領域の左側にディスプレイされた場合を仮定する。この場合、制御部１３０は、Ｚ軸を基準に相対的に低い位置に存在する領域、すなわち、客体を基準にベンディングの行われた領域方向に存在する領域に、客体を移動させることができる。それにより、客体２２０は、ディスプレイ部１１０の右側方向に移動されてよい。このとき、客体２２０は、ベンディングライン２３０と垂直のラインに沿ってディスプレイ部１１０の右側方向に移動されてよい。
【０１１７】
一方、図１０のように、ディスプレイ部１１０の中心部分がＺ＋方向にベンディングされ、画面２１０上で客体２２０がベンディングの行われた領域の左側にディスプレイされた場合を仮定する。この場合、制御部１３０は、Ｚ軸を基準に相対的に低い位置に存在する領域、すなわち、客体を基準にベンディングの行われた領域の反対方向に存在する領域に、客体を移動させることができる。それにより、客体２２０はディスプレイ部１１０の左側方向に移動されてよい。このとき、客体２２０は、ベンディングライン２３０と垂直のラインに沿ってディスプレイ部１１０の左側方向に移動されてよい。
【０１１８】
一方、図１０に示してはいないが、ディスプレイ部１１０の中心部分がＺ＋方向にベンディングされ、画面２１０上で客体２２０がベンディングの行われた領域の右側にディスプレイされた場合を仮定する。この場合、制御部１３０は、Ｚ軸を基準に相対的に低い位置に存在する領域、すなわち、客体を基準にベンディングの行われた領域の反対方向に存在する領域に、客体を移動させることができる。それにより、客体２２０は、ディスプレイ部１１０の右側方向に移動されてよい。このとき、客体２２０は、ベンディングライン２３０と垂直のラインに沿ってディスプレイ部１１０の右側方向に移動されてよい。
【０１１９】
なお、ディスプレイ部１１０の中心部分がＺ−方向にベンディングされ、画面２１０上で客体２２０がベンディングの行われる領域の左側にディスプレイされた場合を仮定する。この場合、制御部１３０は、Ｚ軸を基準に相対的に低い位置に存在する領域、すなわち、客体を基準にベンディングの行われた領域方向に存在する領域に、客体を移動させることができる。それにより、客体２２０はディスプレイ部１１０の右側方向に移動されてよい。このとき、客体２２０は、ベンディングライン２３０と垂直のラインに沿ってディスプレイ部１１０の右側方向に移動されてよい。
【０１２０】
なお、ディスプレイ部１１０の中心部分がＺ−方向にベンディングされ、画面２１０上で客体２２０がベンディングの行われた領域の右側にディスプレイされた場合を仮定する。この場合、制御部１３０は、Ｚ軸を基準に相対的に低い位置に存在する領域、すなわち、客体を基準にベンディングの行われた領域方向に存在する領域に、客体を移動させることができる。それにより、客体２２０は、ディスプレイ部１１０の左側方向に移動されてよい。このとき、客体２２０は、ベンディングライン２３０と垂直のラインに沿ってディスプレイ部１１０の左側方向に移動されてよい。
【０１２１】
一方、上述の実施形態では、客体がディスプレイ部１１０の左側方向または右側方向に移動されるものとして説明したが、それはディスプレイ部１１０の左側または右側がベンディングされたためであり、客体はベンディングの行われた領域及びベンディング方向に応じて、多様な方向に移動され得ることは勿論である。
【０１２２】
例えば、ディスプレイ部１１０の左側下段がＺ＋方向にベンディングされ、画面２１０上で客体２２０がベンディングの行われた領域の左側にディスプレイされた場合を仮定する。この場合、制御部１３０は、Ｚ軸を基準に相対的に低い位置に存在する領域、すなわち、客体を基準にベンディングの行われた領域方向に存在する領域に、客体を移動させることができる。それにより、客体２２０は、ディスプレイ部１１０の右側上段方向に移動されてよい。このとき、客体２２０は、ベンディングライン２３０と垂直のラインに沿ってディスプレイ部１１０の右側上段方向に移動されてよい。
【０１２３】
更に、客体はベンディングの行われた領域及びベンディング方向に応じて、ディスプレイ部１１０の右側下段方向、左側上段方向または左側下段方向等のように多様な方向に移動され得ることは勿論である。
【０１２４】
一方、制御部１３０は、ディスプレイ部１１０のベンディング状態に応じて客体が移動中に、ディスプレイ部１１０のベンディング状態が変更されると、変更されたベンディング状態に対応するように客体の移動方向を変更することができる。ここで、ベンディング状態とは、ベンディングの行われた位置及びベンディング方向を含んでよい。
【０１２５】
すなわち、制御部１３０は、ベンディングの行われた領域の変更された位置を基準に、移動中の客体の位置する方向を判断し、移動中の客体の相対的な位置及びベンディング方向を考慮し、客体の移動方向を決定することができる。より具体的な説明のために、図１１及び図１２を参照する。
【０１２６】
図１１及び図１２は、本発明の一実施形態に係るディスプレイ部のベンディングｚ様態に応じて客体の移動方向が変更される一例を説明するための図である。
【０１２７】
図１１のように、ディスプレイ部１１０の左側がＺ＋方向にベンディングされ、画面２１０上で客体２２０がベンディングの行われた領域の左側にディスプレイされ、客体２２０がベンディングライン２３０と垂直のラインに沿ってディスプレイ部１１０の右側方向に移動される場合を仮定する。
【０１２８】
このとき、ディスプレイ部１１０の左側下段がＺ＋方向にベンディングされ、ベンディングの行われた領域の位置が変更されると、制御部１３０は、変更されたベンディングの行われた領域の位置に応じて客体２２０の移動方向を変更することができる。すなわち、制御部１３０は、移動中の客体２２０が変更されたベンディングの行われた領域の右側に位置するため、客体２２０をベンディングの行われた領域の反対領域に移動させることができる。それにより、客体２２０は、変更されたベンディングライン２４０の垂直のラインに沿ってディスプレイ部１１０の右側上段方向に移動されてよい。
【０１２９】
なお、図１２のように、ディスプレイ部１１０の左側下段がＺ＋方向にベンディングされ、ベンディングの行われた領域の位置が変更されると、制御部１３０は、移動中の客体２２０が変更されたベンディングの行われた領域の右側に位置するため、客体２２０をベンディングの行われた領域の反対方向に移動させることができる。それにより、客体２２０は変更されたベンディングライン２４０の垂直のラインに沿ってディスプレイ部１１０の右側下段方向に移動されてよい。
【０１３０】
一方、上述の例においては、客体がディスプレイ部１１０の左側がベンディングされた後、ディスプレイ部１１０の左側下段または左側上段がベンディングされることを示しているが、それは客体の移動方向が変更されることを説明するための一例である。すなわち、制御部１３０は、ディスプレイ部１１０で新たにベンディングの行われた領域の位置に基づいて客体の移動方向を変更することができる。
【０１３１】
例えば、ディスプレイ部１１０の右側がＺ＋方向にベンディングされ、画面２１０上で客体２２０がベンディングの行われた領域の左側にディスプレイされ、客体２２０がベンディングライン２３０と垂直のラインに沿ってディスプレイ部１１０の左側方向に移動される場合を仮定する。このとき、制御部１３０は、ディスプレイ部１１０の右側下段がＺ＋方向にベンディングされ、ベンディングの行われた領域の位置が変更されると、変更されたベンディングライン２４０の垂直したラインに沿ってディスプレイ部１１０の右側上段方向に移動されてよい。なお、制御部１３０は、ディスプレイ部１１０の右側上段がＺ＋方向にベンディングされ、ベンディングの行われた領域の位置が変更されると、変更されたベンディングライン２４０の垂直したラインに沿ってディスプレイ部１１０の右側下段方向に移動されてよい。
【０１３２】
なお、図示はしていないものの、制御部１３０は、客体が移動中の状態で、ベンディング方向が変更された場合にも客体の移動方向を変更することができる。
【０１３３】
例えば、ディスプレイ部１１０の左側がＺ＋方向にベンディングされ、画面２１０上で客体２２０がベンディングの行われた領域の左側にディスプレイされ、客体２２０がベンディングライン２３０と垂直のラインに沿ってディスプレイ部１１０の右側方向に移動される場合を仮定する。
【０１３４】
このとき、ディスプレイ部１１０の左側がＺ−方向にベンディングされると、制御部１３０は、変更されたベンディング方向に基づいて客体の移動方向を変更することができる。具体的に、制御部１３０は、移動中の客体がベンディングの行われた領域の右側に位置する場合、客体を基準にベンディングの行われた領域方向に、客体を移動させてよい。すなわち、制御部１３０は、客体を変更されたベンディングライン２４０と垂直のラインに沿ってディスプレイ部１１０の左側方向に移動させてよい。
【０１３５】
一方、上述の実施形態においては、ベンディングラインと垂直の方向に客体が移動されるものとして説明しているが、それは一例に過ぎず、客体の移動される方向は多様に設定されてよい。例えば、制御部１３０は、ベンディングラインとなす客体が８０°、７０°、６０°、…等のラインに沿って客体を移動させることができる。
【０１３６】
一方、制御部１３０は、ディスプレイ部１１０でベンディングが行われる間は客体を移動させることができ、ディスプレイ部１１０がフラットな状態になると、客体の移動を中止させることができる。この場合、制御部１３０は、ベンディング維持時間に比例するように客体の移動距離を調節することができる。より具体的な説明のために図１３を参照する。
【０１３７】
図１３は、本発明の一実施形態によって変形持続に基づいた客体移動を示す図である。
【０１３８】
図１３のように、ディスプレイ部１１０の左側がＺ＋方向にベンディングされ、画面２１０上で客体２２０がベンディングの行われた領域の左側にディスプレイされ、客体２２０がベンディングライン２３０と垂直のラインに沿ってディスプレイ部１１０の右側方向に移動される場合を仮定する。
【０１３９】
このとき、制御部１３０は、ベンディング維持時間が長いほど、客体２２０を更に多く移動させることができる。すなわち、ベンディング維持時間ｔ１がベンディング維持時間ｔ２より長い場合、ｔ１の間ベンディングされた場合の客体２２１がｔ２の間ベンディングされた場合の客体２２２より更に多く移動されてよい。よって、変形の持続が増加すると、客体移動の距離もそれに応じて（ｃｏｒｒｅｓｐｏｎｄｉｎｇｌｙ）増加する
【０１４０】
一方、制御部１３０は、ディスプレイ部１１０のベンディング程度に応じて客体の移動距離を調整することができる。具体的に、制御部１３０は、ベンディング程度に比例するように客体の移動距離を調整することができる。より具体的な説明のために、図１４を参照する。
【０１４１】
図１４は、本発明の一実施形態においてベンディング程度に応じて客体が移動される距離を説明するための図である。
【０１４２】
図１４のように、ディスプレイ部１１０の左側がＺ＋領域にベンディングされ、画面２１０上で客体２２０がベンディングの行われた領域の左側にディスプレイされ、客体２２０がベンディングライン２３０と垂直のラインに沿ってディスプレイ部１１０の右側方向に移動される場合を仮定する。
【０１４３】
このとき、制御部１３０は、ベンディング程度が大きいほど、客体２２０をより多く移動させることができる。すなわち、ベンディング維持時間が同一と仮定すると、相対的にベンディング程度の大きい場合の客体２２２がベンディング程度の小さい場合の客体２２１より更に多く移動されてよい。
【０１４４】
一方、上述の実施形態においては、ベンディング維持時間（或いは、ベンディング持続）及びベンディング程度に応じて客体の移動距離が異なるものとして説明したが、それは一例に過ぎない。
【０１４５】
例えば、制御部１３０は、ベンディング維持時間に応じて客体の移動速度を制御することができる。具体的に、制御部１３０は、ベンディング維持時間に比例するように客体の移動速度を制御することができる。すなわち、ベンディング維持時間が長いほど客体を速く移動させることができる。
【０１４６】
更に別の例として、制御部１３０は、ベンディング程度に応じて客体の移動速度を制御することもできる。具体的に、制御部１３０は、ベンディング程度に比例するように客体の移動速度を調整することができる。すなわち、ベンディング程度が大きいほど客体を速く移動させることができる。
【０１４７】
一方、制御部１３０は、ベンディングラインの長さに応じて、客体の移動速度を制御することができる。具体的に、制御部１３０は、ベンディングラインの長さに比例するように客体の移動速度を制御することができる。例えば、制御部１３０は、ベンディングラインがディスプレイ部１１０の隣接する２辺と交差する場合、ベンディングラインの長さが長いほど客体を速く移動させることもできる。
【０１４８】
一方、制御部１３０は、検知部１２０の検知結果に基づいてベンディングの行われた領域及びベンディング方向を判断することができる。
【０１４９】
例えば、制御部１３０は、元の状態と異なる抵抗値を出力するベンドセンサの位置する地点を含む領域をベンディングの行われた領域と判断し、ベンディングの行われた領域から最も大きい抵抗値を出力する地点を連結するラインをベンディングラインと判断することができる。そして、制御部１３０は、ディスプレイ部１１０の両面に配置されたベンドセンサの抵抗値に基づいてディスプレイ部１１０のベンディング方向を判断することができる。
【０１５０】
更に、制御部１３０は、検知部１２０の検知結果に基づいてベンディング程度及びベンディング維持時間を判断することができる。
【０１５１】
例えば、制御部１３０は、ディスプレイ部１１０のベンディング時にベンディングラインに位置したベンドセンサから出力される抵抗値の大きさを用いてベンディング程度を判断することができる。そして、制御部１３０は、ベンドセンサで元の状態とは異なる抵抗値を出力する時間を用いてベンディング維持時間を判断することができる。
【０１５２】
しかし、それは一例に過ぎず、制御部１３０は、図３ないし図７に示す多様な方法を通じてディスプレイ部１１０でベンディングの行われた領域、ベンディング方法、ベンディング程度及びベンディング維持時間を判断することができることは勿論である。
【０１５３】
一方、制御部１３０は、ベンドセンサと重力センサまたは加速度センサの検知結果を組み合わせ、客体の移動を制御することもできる。
【０１５４】
具体的に、制御部１３０は、ディスプレイ部１１０の周縁領域に配置された重力センサから検知した重力方向が変更されたと判断されると、変更された重力方向に基づいてディスプレイ部１１０のベンディング方向を判断することができる。なお、制御部１３０は、ディスプレイ部１１０の周縁領域に配置された加速度センサに検知した加速度変化に基づいてディスプレイ部１１０のベンディング方向を判断することができる。そして、制御部１３０は、ベンドセンサから検知された抵抗値に基づいて、ベンディングの行われた領域を判断し、判断結果に基づいて客体を移動させることができる。
【０１５５】
一方、制御部１３０は、ディスプレイ部１１０の動きが検知されない場合、重力センサまたは加速度センサの検知結果を参照してディスプレイ部１１０のベンディング状態を判断し、ディスプレイ部１１０の動きが検知される場合、ベンドセンサの検知結果のみを用いて、ディスプレイ部１１０のベンディング状態を判断することができる。それは、フレキシブルディスプレイ装置１００が回転したり斜めになることにより、重力センサまたは加速度センサから検知された値がディスプレイ部１１０のベンディングによって発生したと誤認されることを防止するためのである。
【０１５６】
一方、制御部１３０は、客体の移動に対応する機能が行われるように制御することができる。すなわち、制御部１３０は、画面上にディスプレイされた客体の位置、画面上でベンディングの行われた領域、ベンディング方向、ベンディング程度、ベンディング維持時間のうち少なくとも１つに基づいて、画面上にディスプレイされた客体の移動方向、移動距離及び移動速度等を判断し、判断結果に応じて客体を移動させつつディスプレイすることができる。
【０１５７】
それにより、制御部１３０は、客体が予め設定された第２位置に移動されると、第２位置にマッピングされた機能が行われるように制御することができる。
【０１５８】
一例として、ディスプレイ部１１０にディスプレイされた画面がロック画面である場合、制御部１３０は、ロック画面上における客体がベンディングによって解除動作に相応する予め設定された第２位置に移動すると、ロック状態を解除するロック解除動作を行うことができる。
【０１５９】
具体的に、制御部１３０は、フレキシブルディスプレイ装置１００に予め設定された時間の間にユーザ入力がない場合、画面オフモードに切り替えてディスプレイ部１１０の画面をターンオフさせる。そして、制御部１３０は、ユーザ操作が入力されたか否かを判断し、ユーザ操作が入力されると画面ロックモードに切り替え、ディスプレイ部１１０にロック画面をディスプレイする。ここで、ユーザ操作とは、フレキシブルディスプレイ装置１００に設けられた特定ボタンを押すか、ディスプレイ部１１０に対するタッチ操作を含むことができる。
【０１６０】
一方、ロック画面には客体がディスプレイされ、制御部１３０はディスプレイ部１１０のベンディングによって客体がロック解除メニューに移動されると、ロック状態を解除して画面活性化モードにシフトすることができる。すなわち、制御部１３０は、ロック状態が解除されるとメイン画面をディスプレイ部１１０にディスプレイし、メイン画面上で１つのメニューが選択されるとメニューに対応する機能を実行させ、実行結果画面をディスプレイ部１１０にディスプレイすることができる。ここで、メイン画面は、フレキシブルディスプレイ装置１００にインストールされたアプリケーションに対するアイコン、ウィジェット、イメージのうち、少なくとも１つを含む画面であってよい。
【０１６１】
図１５は、本発明の一実施形態によってロック画面が解除される一例を説明するための図である。
図１５のように、ロック画面３１０にはディスプレイ部１１０のベンディングによって移動可能な客体３２０がディスプレイされる。なお、図１５のロック画面３１０には、現在時刻、日付が客体３２０とともにディスプレイされるものとして示しているが、それは一例に過ぎない。すなわち、ユーザ設定に応じて、ウィジェット、イメージ等が同時にディスプレイされてよく、または、ベンディング方向に応じて移動可能な客体のみがロック画面にディスプレイされ得ることは勿論である。
【０１６２】
客体３２０の表示されたディスプレイ部１１０の左側がＺ＋方向にベンディングされると、客体３２０はディスプレイ部１１０の右側方向に移動する。ただ、ロック解除メニュー３３０はディスプレイ部１１０がベンディングされても移動しない。
【０１６３】
それにより、客体３２０がロック解除メニュー３３０の位置（ｐｏｓｉｔｉｏｎ）に移動するようになると、ロック状態が解除され、複数のアイコン３４１ないし３４５を含むメイン画面３４０がディスプレイ部１１０上にディスプレイされる。ここで、客体３２０がロック解除メニュー３３０の位置と完全に重畳されたり、一部が重畳されると、メイン画面３４０がディスプレイされてよい。ロック解除メニュー３３０の位置は、ディスプレイ上に表示されたアイコン、客体またはイメージで示されてよい。
【０１６４】
一方、複数のアイコン３４１ないし３４５のうちの１つのアイコン３４４が選択されると、選択されたアイコン３４４に対応するアプリケーションが実行され、アプリケーション実行画面がディスプレイ部１１０にディスプレイされてよい。例えば、写真アプリケーションに対するアイコン３４４が選択された場合、写真アプリケーション駆動によってフレキシブルディスプレイ装置１００に保存されたイメージ３５０がディスプレイ部１１０にディスプレイされてよい。
【０１６５】
一方、制御部１３０は、ロック画面上の客体が予め設定された第２位置に移動すると、ロック解除動作を行って第２位置にマッピングされた動作を自動的に行うことができる。ここで、客体が第２位置に移動されて行われる動作は、フレキシブルディスプレイ装置１００にインストールされたアプリケーションを実行し、実行結果画面をディスプレイ部１１０にディスプレイする機能であってよく、それはユーザによって設定及び変更可能である。
【０１６６】
図１６及び図１７は、本発明の一実施形態によって、客体の位置にマッピングされた動作を行う一例を説明するための図である。
【０１６７】
例えば、図１６のように、ロック画面４１０には客体４２０、４４０が相互異なる位置にディスプレイされてよく、客体４２０、４４０はディスプレイ部１１０のベンディングによって移動可能である。
【０１６８】
具体的に、ディスプレイ部１１０の左側がＺ＋方向にベンディングされてロック画面４１０の左側にディスプレイされた客体４２０がロック解除メニュー４３０に移動すると、ロック状態が解除され、メイン画面がディスプレイ部１１０にディスプレイされてよい。それについては、図１５を参照して説明しているため、繰り返し説明は省略する。
【０１６９】
一方、ロック画面４１０の下側にディスプレイされた客体４４０はロック解除とともに予め設定された動作を自動的に実行させるためのメニューである。すなわち、ディスプレイ部１１０の下側がＺ＋方向にベンディングされると、客体４４０はディスプレイ部４００の上側方向に移動する。このとき、機能実行メニュー４５０は、ディスプレイ部４００がベンディングされても移動しない。
【０１７０】
それにより、客体４４０が機能実行メニュー４５０の位置に移動するようになると、ロック状態が解除され、機能実行メニュー４５０にマッピングされた予め設定された機能が実行されてよい。すなわち、メイン画面がディスプレイされることなく、機能実行メニュー４５０にマッピングされた予め設定された機能が自動的に行われて、予め設定された機能の行われた画面がディスプレイ部１１０にディスプレイされてよい。例えば、図１６のように、客体４４０が機能実行メニュー４５０の位置に移動すると、ロック状態が解除され、カレンダーアプリケーションが自動的に実行され、カレンダー４６０がディスプレイ部１１０にディスプレイされてよい。
【０１７１】
一方、上述の実施形態において、ロック状態を解除して特定機能を行うための客体がロック状態のみを解除するための客体と別途にディスプレイされるものとして示しているが、それは一例に過ぎない。
【０１７２】
すなわち、１つの客体のみがロック画面にディスプレイされ、ディスプレイ部１１０のベンディングによって機能実行メニューの位置に移動されると、特定機能が自動的に実行され得ることは勿論である。更に、１つの客体でロック画面のみを解除する動作及びロック画面を解除すると同時に特定機能を自動的に実行する動作が全て実現されてよい。
【０１７３】
すなわち、図１７のように、ロック画面には１つの客体がディスプレイされ、ディスプレイ部１１０のベンディング状態によって移動された客体の位置する領域に沿ってメイン画面がディスプレイされたり、特定動作が自動的に行われるように実現することができる。
【０１７４】
図１７によると、ロック画面５１０にはディスプレイ部１１０のベンディングによって移動可能な客体５２０がディスプレイされる。そして、ロック画面５１０には、ロック解除メニュー５３０及び機能実行メニュー５４０が同時にディスプレイされ、客体５２０が移動する位置による動作が行われてよい。
【０１７５】
すなわち、ディスプレイ部１１０のベンディング状態によって客体５２０がロック解除メニュー５３０に移動すると、複数のアイコン５５１ないし５５５を含むメイン画面５５０がディスプレイ部５００にディスプレイされる。一方、ディスプレイ部１１０のベンディング状態によって客体５２０が機能実行メニュー５４０に移動すると、機能実行メニュー５４０にマッピングされた電子書籍アプリケーションが駆動され、電子書籍画面５６０がディスプレイ部５００にディスプレイされてよい。
【０１７６】
図１８は、本発明の一実施形態に係る客体が移動され、移動された位置にマッピングされた動作を行う一例を説明するための図である。
【０１７７】
制御部１３０は、通話要請が受信されると、電話接続画面をディスプレイするようにディスプレイ部１１０を制御し、電話接続画面上の客体がベンディングによって通話接続メニューの表示された位置に移動すると、受けた通話要請を受諾する通話接続動作を行い、客体が通話拒否メニューの表示された位置に移動すると、受けた通話要請を拒絶する通話拒否動作を行うことができる。ここで、電話接続画面は、客体、通話接続メニュー及び通話拒否メニューを含んでよい。
【０１７８】
すなわち、図１８のように、外部機器から通話要請が受信されると、ディスプレイ部１１０には客体６２０、通話接続メニュー６３０及び通話拒否メニュー６４０を含む電話接続画面６１０がディスプレイされる。ここで、客体６２０は、ディスプレイ部１１０のベンディング状態によって移動可能であるが、通話接続メニュー６３０及び通話拒否メニュー６４０はディスプレイ部１１０がベンディングされても移動されない。
【０１７９】
ディスプレイ部１１０のベンディング状態に応じて客体６２０が通話接続メニュー６３０に移動すると、通話画面６５０がディスプレイ部１１０にディスプレイされ、外部機器と音声を送受信する通話接続動作が行われる。
【０１８０】
一方、ディスプレイ部１１０のベンディング状態によって、客体６２０が通話拒否メニュー６４０に移動すると、外部機器の通話要請を拒否し、電話接続画面が表示される前の画面がディスプレイ部１１０にディスプレイされる。例えば、ロック状態で通話要請が受信された場合には、図１８のように、客体６７０及びロック解除メニュー６８０を含むロック画面６６０がディスプレイ部１１０にディスプレイされてよい。
【０１８１】
一方、フレキシブルディスプレイ装置１００は、移動通信網またはインターネット網等を通じて外部機器と電話接続を行うための通信部（図示せず）を備えることができる。なお、フレキシブルディスプレイ装置１００に備えられたマイク（図示せず）のような音声取得手段が音声や外部音響を収集して制御部１３０に伝達すると、制御部１３０は、収集された音声や外部音響を信号処理し、通信部（図示せず）を介して外部機器に伝送することができる。そして、外部機器から音声信号が受信されると、制御部１３０は、受信された音声信号を信号処理してスピーカ（図示せず）のような音声出力手段を通じて出力することができる。
【０１８２】
一方、上述の実施形態において、客体が移動されることによって行われる動作は多様であってよい。すなわち、通話接続動作、通話拒否動作、メッセージ表示動作、ウェブブラウザ接続動作等、フレキシブルディスプレイ装置１００にインストールされた各種アプリケーションで実行可能な多様な動作であってよく、それはユーザによって設定及び変更可能である。動作は、フレキシブルディスプレイ装置１００によって実行されたアプリケーションと連携した動作（ｏｐｅｒａｔｉｏｎｓ）であってよく、ロック画面解除動作のように、フレキシブル装置の機能（ｆｕｎｃｔｉｏｎｓ）であってよい。
【０１８３】
例えば、外部機器からメッセージが受信された場合を仮定する。その後、客体及び機能実行メニューを含むロック画面がディスプレイされ、ディスプレイ部１１０のベンディングによって客体が機能実行メニューに移動された場合、制御部１３０はメッセージアプリケーションを駆動して外部機器から受信されたメッセージをディスプレイ部１１０にディスプレイすることができる。
【０１８４】
なお、上述の実施形態においては、客体、ロック解除メニュー及び機能実行メニューがロック画面上にディスプレイされるものとして説明したが、それは一例に過ぎない。すなわち、制御部１３０は、ユーザ操作によって現在ディスプレイされる画面上に客体をディスプレイすることができる。より具体的な説明のために、図１９ないし図２１を参照する。
【０１８５】
図１９ないし図２１は、本発明の一実施形態によって多様な画面に客体がディスプレイされる方法を説明するための図である。
【０１８６】
制御部１３０は、予め設定されたユーザ操作が入力されると、画面上の第１位置に客体をディスプレイすることができる。一方、ユーザ操作とは、フレキシブルディスプレイ装置１００に設けられた特定ボタンを押すか、ディスプレイ部１１０に対するタッチ操作を含んでよい。一方、フレキシブルディスプレイ装置１００に設けられた特定ボタンが押されたり、ディスプレイ部１１０に対するタッチ操作が入力されると、制御部１３０は客体を直ちに画面上にディスプレイすることができるが、客体をディスプレイすることを問い合わせるＵＩを画面上にディスプレイし、ＵＩを通じて客体をディスプレイするための別途のユーザ命令を受信することもできる。
【０１８７】
一方、客体をディスプレイする際、制御部１３０はロック解除メニューまたは機能実行メニューを予め設定された第２位置にディスプレイすることができる。このとき、制御部１３０は、ディスプレイ部１１０に現在ディスプレイされた画面に応じてロック解除メニューまたは機能実行メニューをディスプレイすることができる。
【０１８８】
例えば、制御部１３０は、ディスプレイ部１１０にロック画面がディスプレイされた状態の場合、ロック解除メニューまたは機能実行メニューをディスプレイすることができる。なお、制御部１３０は、メイン画面またはアプリケーション実行画面がディスプレイされた状態である場合、機能実行メニューをディスプレイすることができる。
【０１８９】
そして、制御部１３０は、ディスプレイ部１１０のベンディングによって客体がロック解除メニューに移動されると、ロック状態を解除してメイン画面をディスプレイすることができ、ディスプレイ部１１０のベンディングによって客体が機能実行メニューに移動されると、予め設定されたアプリケーションを実行してアプリケーション実行画面をディスプレイすることができる。
【０１９０】
例えば、図１９のように、ディスプレイ部１１０にロック画面７１０がディスプレイされた状態で、予め設定されたユーザ操作が入力されると、ロック画面７１０上に客体７２０及びロック解除メニュー７３０がディスプレイされてよい。その後、ディスプレイ部１１０の左側がＺ＋方向にベンディングされ、客体７２０がロック解除メニュー７３０の位置に移動されると、ロック状態が解除されてメイン画面７４０がディスプレイされてよい。
【０１９１】
なお、図２０のように、ディスプレイ部１１０にメイン画面８１０がディスプレイされた状態で、予め設定されたユーザ操作が入力されると、客体８２０及び機能実行メニュー８３０がディスプレイされてよい。その後、ディスプレイ部１１０の左側がＺ＋方向にベンディングされて客体８２０が機能実行メニュー８３０に移動されると、機能実行メニュー８３０にマッピングされた機能が行われてメッセージアプリケーション実行画面８４０がディスプレイされてよい。
【０１９２】
なお、図２１のように、ディスプレイ部１１０に電子書籍アプリケーション実行画面９１０がディスプレイされた状態で、予め設定されたユーザ操作が入力されると、客体９２０及び機能実行メニュー９３０がディスプレイされてよい。この後、ディスプレイ部１１０の左側がＺ＋方向にベンディングされて客体９２０が機能実行メニュー９３０に移動されると、機能実行メニュー９３０にマッピングされた機能が行われてよい。すなわち、写真アプリケーションが駆動されてイメージ９４０がディスプレイされてよい。
【０１９３】
一方、上述の実施形態において、客体がディスプレイ部１１０のベンディングによってロック解除メニューまたは機能実行メニューの位置に移動されると、画面上から消えるものとして説明したが、それは一例に過ぎない。
【０１９４】
すなわち、制御部１３０は、客体がディスプレイされた状態で予め設定された時間の間、ディスプレイ部１１０をベンディングするユーザ操作が入力されていない場合、客体、ロック解除メニュー及び機能実行メニューを画面上から除去してよい。
【０１９５】
なお、制御部１３０は、ディスプレイ部１１０をベンディングするユーザ操作の他にも、フレキシブルディスプレイ装置１００に設けられた特定ボタンを押すか、ディスプレイ部１１０に対するタッチ操作が入力されると、客体、ロック解除メニュー及び機能実行メニューを画面上から除去してよい。更に、制御部１３０は、フレキシブルディスプレイ装置１００に設けられた特定ボタンが押されるか、ディスプレイ部１１０に対するタッチ操作が入力されると、客体を除去することを問い合わせるＵＩを画面上にディスプレイし、ＵＩを通じて客体を除去するための別途のユーザ命令を入力されてよい。
【０１９６】
一方、客体は予め設定された大きさで、画面上で予め設定された位置に表示されてよい。ただ、客体の表示位置、大きさはユーザによって設定及び変更されてよい。より具体的な説明のために、図２２及び図２３を参照する。
【０１９７】
図２２及び図２３は、本発明の一実施形態によって客体のパラメータを設定する方法を説明するための図である。
【０１９８】
制御部１３０は、客体のパラメータを設定（或いは、客体を変更）するためのユーザ操作が入力されると、客体の表示位置または大きさを設定するためのＵＩ画面をディスプレイ部１１０にディスプレイする。そして、制御部１３０は、ＵＩ画面に入力されたユーザ操作に基づいて客体の表示位置または大きさを設定することができる。
【０１９９】
例えば、図２２のように、ユーザ操作によってディスプレイされたＵＩ画面１０１０で客体の表示位置を設定するためのメニューが選択されると、制御部１３０はロック状態を解除するための客体１０３０及びロック解除メニュー１０４０の位置を設定するための設定画面１０２０をディスプレイすることができる。
【０２００】
その後、ユーザが設定画面１０２０上でドラッグアンドドロップ操作のような入力によって客体１０１０の位置を変更すると、制御部１３０は客体１０１０のディスプレイされる位置を変更された位置に設定することができる。それにより、ロック画面１０６０がディスプレイされると、客体１０５０はロック画面１０６０上で変更された位置にディスプレイされてよい。
【０２０１】
一方、上述の実施形態においては、客体の位置を変更するものとして説明したが、制御部１３０はユーザ操作によってロック解除メニューのディスプレイされる位置を変更できることは勿論である。なお、制御部１３０は、ドラックアンドドロップする方式ではない他の方式によって、客体とロック解除メニューのディスプレイされる位置を変更することもできる。例えば、客体をタッチした後、客体を位置させようとする地点をタッチし、客体とロック解除メニューの位置を変更することができる。
【０２０２】
一方、図２３のように、ユーザ操作によってディスプレイされたＵＩ画面１０１０で客体の大きさを変更するためのメニューが選択されると、制御部１３０はロック状態を解除するための客体１０１０及びロック解除メニュー１０４０の大きさを設定するための設定画面１０２０をディスプレイすることができる。
【０２０３】
その後、ユーザが設定画面１０２０上でユーザがピンチズームイン操作／ピンチズームアウト操作によってロック解除メニュー１０４０の大きさを変更すると、制御部１３０は、ロック解除メニュー１０４０のディスプレイされる大きさを変更された大きさに設定することができる。この場合、ピンチズームイン操作によってロック解除メニュー１０４０の大きさは拡大されてよく、ピンチズームアウト操作によってロック解除メニュー１０４０の大きさは縮小されてよい。
【０２０４】
それにより、ロック画面１０８０がディスプレイされると、ロック解除メニュー１０４０はロック画面１０６０上で大きさが拡大されてディスプレイされてよい。
【０２０５】
一方、上述の実施形態においては、ロック解除メニューの大きさを変更するものとして説明したが、客体の大きさを変更できることは勿論である。なお、ピンチズームイン操作またはピンチズームアウト操作ではない他の方式によって、客体とロック解除メニューの大きさを変更することもできる。例えば、ユーザがロック解除メニューをタッチした後、ディスプレイ部の中央領域をＺ＋方向にベンディングすると、制御部１３０はロック解除メニューの大きさを拡大させることができる。それと逆に、ユーザがロック解除メニューをタッチした後、ディスプレイ部の中央領域をＺ−方向にベンディングすると、制御部１３０はロック解除メニューの大きさを縮小させることができる。
【０２０６】
なお、上述の実施形態においては、客体とロック解除メニューのディスプレイされる位置と大きさを変更するものとして説明したが、それは一例に過ぎない。すなわち、制御部１３０は、ロック画面がディスプレイされた状態でユーザ操作が入力されると、客体とロック解除メニューの位置と大きさを設定するための設定画面をディスプレイし、メイン画面がディスプレイされた状態でユーザ操作が入力されると、客体と機能実行メニューの位置と大きさを設定するための設定画面をディスプレイすることができる。それにより、客体と機能実行メニューの位置及び大きさも図２２及び図２３と同様の方法に変更されてよい。
【０２０７】
一方、上述の実施形態においては、画面上に表示された客体が移動されると、ロック状態が解除されるか特定機能が行われるものとして説明したが、それは一例に過ぎない。すなわち、制御部１３０は、客体の移動ではない多様な方式を用いることができ、より具体的な説明のために、図２４ないし図２７を参照する。
【０２０８】
図２４ないし図２７は、本発明の一実施形態によってフレキシブルディスプレイ装置が動作を行うために適用され得る多様な方式に対する一例を説明するための図である。
【０２０９】
まず、制御部１３０は、ディスプレイ部１１０がベンディングされると、アニメーション効果をロック画面上にディスプレイし、アニメーション効果によって特定条件を満たすと、ロック状態を解除したり特定機能を行うことができる。
【０２１０】
例えば、図２４のように、制御部１３０は、海のイメージ１１１０を含むロック画面をディスプレイし、ディスプレイ部１１０の左側がＺ＋方向にベンディングされる間、海のイメージ１１１０上で波１１２０が左側から右側に移動されるアニメーション効果をディスプレイすることができる。それにより、波１１２０がロック画面の右側周縁付近に移動するようになると、制御部１３０はロック状態を解除してメイン画面１１３０をディスプレイ部１１０にディスプレイすることができる。
【０２１１】
なお、図２５のように、制御部１３０は、野球のイメージ１２１０を含むロック画面をディスプレイし、ディスプレイ部１１０の左側がＺ＋方向にベンディングされる間、野球のイメージ１２１０上で野球ボール１２２０が左側から右側に移動されるアニメーション効果をディスプレイすることができる。それにより、野球ボール１２２０がロック画面の右側周縁付近に移動するようになると、制御部１３０はロック状態を解除してメイン画面１２３０をディスプレイ部１１０にディスプレイすることができる。
【０２１２】
一方、ディスプレイ部１１０より大きいサイズを有するイメージがロック画面にディスプレイされた場合を仮定する。それにより、ロック画面にはイメージの一部の領域がディスプレイされる。
【０２１３】
この場合、制御部１３０は、ディスプレイ部１１０がベンディングされると、イメージの他領域をディスプレイすることができる。このとき、制御部１３０は、ディスプレイ部１１０のベンディング状態に基づいて、ディスプレイされるイメージの他領域を決定することができる。
【０２１４】
例えば、制御部１３０は、ディスプレイ部１１０の左側がＺ＋方向にベンディングされると、現在ディスプレイされていないイメージの左側領域を漸進的にディスプレイし、ディスプレイ部１１０の右側がＺ＋方向にベンディングされると、現在ディスプレイされていないイメージの右側領域を漸進的にディスプレイすることができる。そして、制御部１３０は、ディスプレイ部１１０の上側がＺ＋方向にベンディングされると、現在ディスプレイされていないイメージの上側領域を漸進的にディスプレイし、ディスプレイ部１１０の下側がＺ＋方向にベンディングされると、現在ディスプレイされていないイメージの下側領域を漸進的にディスプレイすることができる。
【０２１５】
そして、制御部１３０は、イメージの予め設定された領域がディスプレイされると、ロック状態を解除してメインメニュー画面をディスプレイしたり、特定機能を行うことができる。例えば、制御部１３０は、イメージの最左側領域、最右側領域、最上側領域または最下側領域がディスプレイされると、ロック状態を解除してメインメニュー画面をディスプレイしたり特定機能を行うことができる。
【０２１６】
すなわち、図２６のように、ディスプレイ部１１０より大きいサイズを有するイメージ１３１０がロック画面にディスプレイされた場合、ディスプレイ部１１０の左側がＺ＋方向にベンディングされると、イメージの左側領域が次第にディスプレイされる。それにより、イメージ１３１０の最左側領域がディスプレイされると、ロック状態が解除されてメインメニュー画面１３２０がディスプレイされてよい。
【０２１７】
一方、上述の実施形態においては、ディスプレイ部１１０より大きいサイズを有するイメージのみがロック画面にディスプレイされるものとして説明したが、それは一例に過ぎない。すなわち、制御部１３０は、ディスプレイ部１１０より大きいサイズを有するイメージと客体を同時にロック画面にディスプレイし、ディスプレイ部１１０のベンディング状態によってロック状態を解除してメインメニュー画面をディスプレイしたり特定機能を行うことができる。
【０２１８】
具体的に、制御部１３０は、ディスプレイ部１１０のベンディングによって客体を移動させ、客体の移動方向に応じてイメージの他領域が漸進的にディスプレイされるようにディスプレイ部１１０を制御することができる。すなわち、制御部１３０は、ディスプレイ部１１０のベンディングによって客体を移動させる場合、イメージの全イメージのうち現在ディスプレイされている領域を基準に客体の移動方向に存在する領域を漸進的にディスプレイすることができる。
【０２１９】
例えば、制御部１３０は、ディスプレイ部１１０の左側がＺ＋方向にベンディングされて客体がディスプレイ部１１０の右側方向に移動する場合、現在ディスプレイされていないイメージの左側領域を漸進的にディスプレイし、ディスプレイ部１１０の右側がＺ＋方向にベンディングされて客体がディスプレイ部１１０の左側方向に移動する場合、現在ディスプレイされていないイメージの右側領域を漸進的にディスプレイすることができる。そして、制御部１３０は、ディスプレイ部１１０の上側がＺ＋方向にベンディングされて客体がディスプレイ部１１０の下側方向に移動する場合、現在ディスプレイされていないイメージの上側領域を漸進的にディスプレイし、ディスプレイ部１１０の下側がＺ＋方向にベンディングされて客体がディスプレイ部１１０の上側方向に移動する場合、現在ディスプレイされていないイメージの下側領域を漸進的にディスプレイすることができる。
【０２２０】
そして、制御部１３０は、客体が予め設定された位置まで移動するようになると、ロック状態を解除してメイン画面をディスプレイするか、特定機能を行うことができる。
【０２２１】
例えば、図２７のように、ディスプレイ部１１０にはディスプレイ部１１０より大きいサイズを有するイメージ２０１０、客体１４２０、ロック画面メニュー１４３０を含むロック画面がディスプレイされた場合を仮定する。この場合、ディスプレイ部１１０の左側がＺ＋方向にベンディングされると、客体１４２０はディスプレイ部１１０の右側方向に移動し、イメージ２０１０の左側領域が漸進的にディスプレイされる。それにより、客体１４４２０がロック画面メニュー１４３０に到達するとロック状態が解除され、メイン画面１４４０がディスプレイ部１１０にディスプレイされる。
【０２２２】
図２８及び図２９は、本発明の一実施形態に係るフレキシブルディスプレイ装置のディスプレイ方法を説明するための図である。
【０２２３】
制御部１３０は、ディスプレイ部１１０より大きいサイズを有するコンテンツ画面を構成する一部の領域がディスプレイ部１１０にディスプレイされた状態でディスプレイ部１１０がベンディングされると、ベンディングによる（或いは、ベンディングの検知された領域にマッピングされる）他領域をディスプレイするように制御することができる。ここで、コンテンツ画面とは、イメージ、テキスト、ウェブページ等のような多様なコンテンツがディスプレイされた状態の画面として、例えば、アプリケーション構成による実行画面を含んでよい。
【０２２４】
すなわち、制御部１３０は、コンテンツ画面の一部の領域のみがディスプレイ部１１０にディスプレイされた場合、ディスプレイ部１１０のベンディングによって現在ディスプレイ部１１０にディスプレイされていない領域がディスプレイされるように制御することができる。具体的に、制御部１３０は、ディスプレイ部１１０でベンディングが行われると、コンテンツ画面の全領域のうちベンディングが行われた領域に対応するコンテンツ画面をディスプレイ部１１０にディスプレイすることができる。
【０２２５】
例えば、制御部１３０は、ディスプレイ部１１０の左側がＺ＋方向にベンディングされるとコンテンツ画面の左側領域を漸進的にディスプレイし、ディスプレイ部１１０の右側がＺ＋方向にベンディングされるとコンテンツ画面の右側領域を漸進的にディスプレイすることができる。そして、制御部１３０は、ディスプレイ部１１０の上側がＺ＋方向にベンディングされるとコンテンツ画面の上側領域を漸進的にディスプレイし、ディスプレイ部１１０の下側がＺ＋方向にベンディングされるとコンテンツ画面の下側領域を漸進的にディスプレイすることができる。
【０２２６】
例えば、図２８のように、イメージの一部の領域１５１０がディスプレイ部１１０にディスプレイされた場合を仮定する。この場合、ディスプレイ部１１０の右側がＺ＋方向にベンディングされると、現在ディスプレイされていないイメージの右側領域１５２０が漸進的にディスプレイされてよい。
【０２２７】
なお、図２９のように、全ウェブページ画面１６１０のうち一部の領域１６２０がディスプレイ部１１０にディスプレイされた状態を仮定する。この場合、ディスプレイ部１１０の下側がＺ＋方向にベンディングされると全ウェブページ画面１６１０の下側領域１６３０が漸進的にディスプレイされてよく、なお、ディスプレイ部１１０の上側がＺ＋方向にベンディングされると全ウェブページ画面１６１０の上側領域１６４０が漸進的にディスプレイされてよい。すなわち、マウスのスクロール操作のような動作が行われてよい。
【０２２８】
一方、上述の実施形態においては、ディスプレイ部１１０がＺ＋方向にベンディングされるものとして説明したが、Ｚ＋方向ではないＺ−方向にディスプレイ部１１０がベンディングされた場合にも、現在ディスプレイされていない領域がディスプレイされ得ることは勿論である。
【０２２９】
一方、制御部１３０は、ディスプレイ部１１０のベンディングを方向キー操作にマッピングさせ、客体を移動させたり現在ディスプレイされていないコンテンツ画面の領域をディスプレイすることもできる。ここで、方向キーとは、４方向キー（上／下／左／右）、８方向キー（上／左上／左／左下／下／右下／右／右上）等を含んでよい。
【０２３０】
例えば、制御部１３０は、ディスプレイ部１１０の中央部を基準に左側がベンディングされると画面上にディスプレイされた客体を左方に移動させることができ、ディスプレイ部１１０の中央部を基準に右側にベンディングされると画面上にディスプレイされた客体を右方に移動させることもできる。そして、制御部１３０は、ディスプレイ部１１０の中央部を基準に上側がベンディングされると、画面上にディスプレイされた客体を上方に移動させることができ、ディスプレイ部１１０の中央部を基準に下側がベンディングされると、画面上にディスプレイされた客体を下方に移動させることができる。
【０２３１】
それにより、客体がロック解除メニューまたは機能実行メニューと連携した位置に到達すると、制御部１３０はその位置と連携されたロック状態を解除したり特定機能を行うことができる。
【０２３２】
更に、制御部１３０は、ディスプレイ部１１０の中央部を基準に左側がベンディングされると、現在ディスプレイされていないコンテンツ画面の左側領域を漸進的にディスプレイすることができ、ディスプレイ部１１０の中央部を基準に右側がベンディングされると、現在ディスプレイされていないコンテンツ画面の右側領域を漸進的にディスプレイすることができる。そして、制御部１３０は、ディスプレイ部１１０の中央部を基準に上側がベンディングされると、現在ディスプレイされていないコンテンツ画面の上側領域を漸進的にディスプレイすることができ、ディスプレイ部１１０の中央部を基準に下側がベンディングされると、現在ディスプレイされていないコンテンツ画面の下側領域を漸進的にディスプレイすることができる。
【０２３３】
このように、制御部１３０は、ディスプレイ部１１０のベンディング操作を方向キー操作を実行させ、ディスプレイ部１１０でベンディングの行われた領域の位置に応じて客体またはコンテンツ画面を制御することもできる。
【０２３４】
一方、制御部１３０は、メイン画面上で選択されたメニューに対応する機能を実行させ、実行結果画面をディスプレイすることができる。例えば、制御部１３０は、メイン画面に表示されたウェブブラウザ実行メニューが選択されると、通信部（図示せず）を介してウェブサーバにアクセスし、ウェブサーバからウェブページ画面を受信してディスプレイ部１１０にディスプレイすることができる。なお、制御部１３０は、メイン画面に表示された写真アプリケーション駆動メニューが選択されると、フレキシブルディスプレイ装置１００に予め保存されたイメージをディスプレイ部１１０にディスプレイすることができる。
【０２３５】
一方、制御部１３０は、実行結果画面がディスプレイされている状態でディスプレイ部１１０が第１方向にベンディングされると、実行結果画面に含まれた少なくとも１つの客体を実行結果画面の周縁領域に整列してディスプレイすることができる。ここで、客体は、イメージ、テキスト、アプリケーション実行画面等を含んでよい。
【０２３６】
この場合、制御部１３０は、少なくとも１つの客体の大きさ及び形状のうち少なくとも１つを調整して周縁領域に整列することができる。そして、制御部１３０は、少なくとも１つの客体が周縁領域に整列されてディスプレイされた状態で、フレキシブルディスプレイ装置１００が第１方向の反対である第２方向にベンディングされると、少なくとも１つの客体を元の状態に復帰させてディスプレイすることができる。より具体的な説明のために、図３１を参照する。
【０２３７】
図３０は、本発明の一実施形態によってベンディング方向に応じて客体の表示状態が変更される一例を説明するための図である。
【０２３８】
フレキシブルディスプレイ装置１００に設けられた特定ボタンを押すか、ディスプレイ部１１０にディスプレイされた特定アイコンがタッチされると、現在駆動中のアプリケーション情報表示画面がディスプレイ部１１０にディスプレイされてよい。ここで、アプリケーション情報表示画面は、現在駆動中のアプリケーションに対応するアイコンまたは現在駆動中のアプリケーションに対する実行画面を含むことができる。
【０２３９】
マルチタスキング機能によって複数のアプリケーションが同時に駆動中の場合、各アプリケーションに対応するアイコンまたは実行画面がディスプレイ部１１０にディスプレイされてよい。すなわち、図３０のように、ディスプレイ部１１０に複数のアプリケーション実行画面１７１１、１７１２、１７１３を含むアプリケーション情報表示画面１７１０がディスプレイされてよい。
【０２４０】
一方、アプリケーション情報表示画面１７１０がディスプレイされた状態でディスプレイ部１１０の右側がＺ＋方向にベンディングされると、ディスプレイ部１１０に表示されていた複数のアプリケーション実行画面１７１１、１７１２、１７１３は大きさが縮小され、ディスプレイ部１１０の左側周縁に移動されて縦方向に整列されてディスプレイされてよい。そして、ディスプレイ部１１０に複数のアイコン１７２１ないし１７２５を含むメイン画面１７２０がディスプレイされてよい。しかし、それは一例に過ぎず、アイコン、ウィジェット及びイメージのうち少なくとも１つを含む画面がディスプレイされ得ることは勿論である。
【０２４１】
その後、ディスプレイ部１１０の左側がＺ＋方向にベンディングされると、メイン画面１７２０は消えてアプリケーション情報表示画面１７１０がディスプレイ部１１０にディスプレイされてよい。
【０２４２】
一方、上述の実施形態においては、ディスプレイ部の右側がベンディングされると、画面上に表示されていた客体がディスプレイ部の左側周縁に移動されてディスプレイされるものとして説明したが、それは一例に過ぎず、ディスプレイ部１１０がベンディングされる領域に応じて画面上に表示されていた客体が移動されてディスプレイされ得ることは勿論である。すなわち、ディスプレイ部の左側がベンディングされると、画面上に表示されていた客体はディスプレイ部の左側周縁に移動されてディスプレイされてよい。なお、Ｚ＋方向ではないＺ−方向にディスプレイ部がベンディングされた場合にも、客体が周縁領域に移動されて再び元の状態に復帰することができる。
【０２４３】
一方、制御部１３０は、フレキシブルディスプレイ装置１００のモードを制御することができる。ここで、モードとは、電源オフモード、画面オフモード、ロック画面モード、セキュリティ画面モード、画面活性化モード等を含んでよい。
【０２４４】
具体的に、制御部１３０は、電源オフ命令が入力されると、フレキシブルディスプレイ装置１００の各構成に供給される電源を遮断してディスプレイ部１１０の画面をターンオフさせる。このような電源オフモードでは、電源オン命令が入力されるまでは他のユーザ操作に対応する動作が行われない。
【０２４５】
一方、制御部１３０は、電源オン状態で（または、ユーザ命令に基づいて）フレキシブルディスプレイ装置１００に予め設定された時間の間にユーザ入力がない場合、ディスプレイ部１１０の画面をターンオフさせて画面オフモードに切り替える。この場合、モードでフレキシブルディスプレイ装置１００に設けられた特定ボタンが押されるか、ディスプレイ部１１０に対するタッチ操作が入力されると、制御部１３０はロック画面をディスプレイ部１１０にディスプレイすることができる。
【０２４６】
ロック画面モードは、ロック画面がディスプレイされた状態を意味する。この場合、制御部１３０は、ロック状態解除のためのユーザ操作以外のユーザ操作に対応する動作を行わない。
【０２４７】
一方、制御部１３０は、ロック画面がディスプレイされた状態でロック状態解除のためのユーザ操作が入力されると、ロック解除動作を行って画面活性化モードに切り替える。画面活性化モードでは、多様なユーザ操作による動作が行われてよい。例えば、制御部１３０は、ロック状態が解除されるとメイン画面をディスプレイ部１１０にディスプレイし、メイン画面上にディスプレイされたアイコンのうち選択された（または、タッチ操作が入力された）アイコンに対応するアプリケーションを駆動することができる。
【０２４８】
なお、セキュリティ画面モードは、画面活性化モードにシフトするために予め設定された暗証番号または特定タッチ操作が入力されるべきモードを意味する。制御部１３０は、セキュリティ画面モードでフレキシブルディスプレイ装置１００に設けられた特定ボタンが押されるか、ディスプレイ部１１０に対するタッチ操作が入力されると、暗証番号またはタッチ操作を受信するためのＵＩ画面をディスプレイ部１１０にディスプレイする。そして、制御部１３０は、ＵＩ画面上で予め設定された暗証番号または特定タッチ操作が入力されると、画面活性化モードに切り替えることができる。
【０２４９】
一方、上述の実施形態においては、特定ボタンが押されるかタッチ操作が入力されると、制御部１３０はロック画面をディスプレイするものとして説明したが、それは一例に過ぎない。すなわち、制御部１３０は、ベンディング操作または他のユーザ入力に基づいて、ロック画面をディスプレイすることができる。
【０２５０】
例えば、制御部１３０は、ディスプレイ部１１０の予め設定された位置がベンディングされたり、ディスプレイ部１１０の予め設定された位置が予め設定された角度分だけベンディングされたり、ディスプレイ部１１０の予め設定された位置が予め設定された回数分だけベンディングされたり、ディスプレイ部１１０の予め設定された位置が特定方向にベンディングされたり、ディスプレイ部１１０の予め設定された位置が予め設定された時間分だけベンディングされたり、ディスプレイ部１１０の予め設定された位置が予め設定された速度でベンディングされる場合、ロック画面をディスプレイしてロック画面モードに切り替えることができる。
【０２５１】
図３１は、本発明の一実施形態に係るフレキシブルディスプレイ装置の細部構成を説明するためのブロック図である。図３１によると、フレキシブルディスプレイ装置１００は、ディスプレイ部１１０と、検知部１２０と、制御部１３０と、保存部１４０と、通信部１５０と、音声認識部１６０と、モーション認識部１７０と、スピーカ１８０と、外部入力ポート１９０−１〜１９０−ｎ及び電源部１８００を含む。一方、図３２を説明するうえで、図１と重複する説明については省略する。
【０２５２】
保存部１４０には、フレキシブルディスプレイ装置１００の動作に関連する各種プログラムやデータ、ユーザの設定した設定情報、システム駆動ソフトウェア（Ｏｐｅｒａｔｉｎｇ  Ｓｏｆｔｗａｒｅ）、各種アプリケーションプログラム、ユーザ操作内容に対応する動作に関する情報等が保存されてよい。
【０２５３】
検知部１２０は、フレキシブルディスプレイ装置１００に対するベンディング及びディスプレイ部１１０を介して入力されるタッチ操作を検知する。図３１によると、検知部１２０は、タッチセンサ１２１と、地磁気センサ１２２と、ジャイロセンサ１２３と、加速度センサ１２４と、ベンドセンサ１２５と、圧力センサ１２６と、近接センサ１２７等のような多様なセンサを含んでよい。
【０２５４】
タッチセンサ１２１は、静電式または感圧式で実現されてよい。静電式は、ディスプレイ部１１０の表面にコーティングされた誘電体を用いて、ユーザの身体の一部がディスプレイ部１１０の表面にタッチされた際、ユーザの人体に励起される微細電気を検知し、タッチ座標を算出する方式である。感圧式は、２つの電極板を含み、ユーザが画面をタッチした場合、タッチされた地点の上下板が接触され、電流が流れることを検知し、タッチ座標を算出する方式である。以上のように、タッチセンサ１２１は多様な形態で実現されてよい。
【０２５５】
地磁気センサ１２２及びジャイロセンサ１２３は、フレキシブルディスプレイ装置１００の回転状態及び移動方向等を検知するためのセンサであり、加速度センサ１２４は、フレキシブルディスプレイ装置１００の勾配具合を検知するためのセンサである。上述のように、地磁気センサ１２２、ジャイロセンサ１２３及び加速度センサ１２４はそれぞれ、フレキシブルディスプレイ装置１００のベンディング方向やベンディング領域等のようなベンディング特性を検出するための用途に使用されてよいが、それとは別途に、フレキシブルディスプレイ装置１００の回転状態または勾配状態等を検出するための用途に使用されてよい。
【０２５６】
ベンドセンサ１２５は、図３ないし図６のように、多様な形態及び個数で実現され、フレキシブルディスプレイ装置１００のベンディング状態を検知することができる。ベンドセンサ１２５の構成及び動作に対する多様な例については上述しているため、繰り返し説明は省略する。
【０２５７】
圧力センサ１２６は、ユーザがタッチまたはベンディング操作を行う際、フレキシブルディスプレイ装置１００に加わる圧力の大きさを検知し、制御部１３０に提供する。圧力センサ１２６は、ディスプレイ部１１０に内蔵され、圧力の大きさに対応する電気信号を出力する圧電フィルム（ｐｉｅｚｏ  ｆｉｌｍ）を含んでよい。図３１では、圧力センサ１２６がタッチセンサ１２１と別個であるとして示しているが、タッチセンサ１２１が感圧式タッチセンサで実現された場合、その感圧式タッチセンサが圧力センサ１２６の役割も同時に具備することもできる。
【０２５８】
近接センサ１２７は、ディスプレイ表面に直に接触せずに接近するモージョンを検知するためのセンサである。近接センサ１２７は、高周波磁界を形成し、物体接近の際に変化する磁界特性によって誘導される電流を検知する高周波発振型、磁石を利用する磁気型、対象体の接近によって変化する静電容量を検知する静電容量型のような多様なセンサで実現されてよい。
【０２５９】
制御部１３０は、検知部１２０の検知結果を分析してディスプレイ部１１０の変形状態を判断し、変形状態に対応する動作を行う。ディスプレイ部１１０が変更される場合、制御部１３０で行われる動作については上述しているため、繰り返し説明は省略する。
【０２６０】
通信部１５０は、多様な通信方式によって多様な外部機器と通信を行う構成である。通信部１５０は、放送受信モジュール１５１と、近距離無線通信モジュール１５２と、ＧＰＳモジュール１５３及び無線通信モジュール１５４等のような多様な通信モジュールを含んでよい。ここで、放送受信モジュール１５１とは、地上波放送信号を受信するためのアンテナや復調器、等化器等を含む地上波放送受信モジュール（図示せず）、ＤＭＢ放送信号を受信して処理するためのＤＭＢモジュール等を含んでよい。近距離無線通信モジュール１５２とは、ＮＦＣ（Ｎｅａｒ  Ｆｉｅｌｄ  Ｃｏｍｍｕｎｉｃａｔｉｏｎ）やブルートゥース、Ｚｉｇｂｅｅ(登録商標)方式等のような近距離無線通信方式によって、近距離に位置した外部機器と通信を行うためのモジュールである。ＧＰＳモジュール１５３とは、ＧＰＳ衛星からＧＰＳ信号を受信し、フレキシブルディスプレイ装置１００の現在位置を検出するためのモジュールである。無線通信モジュール１５４とは、ＷｉＦｉやＩＥＥＥ等のような無線通信プロトコルによって外部ネットワークに接続されて通信を行うモジュールである。その他に、通信モジュール１５４は、３Ｇ（３ｒｄ  Ｇｅｎｅｒａｔｉｏｎ）、３ＧＰＰ（３ｒｄ  Ｇｅｎｅｒａｔｉｏｎ  Ｐａｒｔｎｅｒｓｈｉｐ  Ｐｒｏｊｅｃｔ）、ＬＴＥ（Ｌｏｎｇ  Ｔｅｒｍ  Ｅｖｏｌｕｔｉｏｎ）等のような多様な移動通信規格によって移動通信網に接続して通信を行う移動通信モジュールを更に含んでよい。
【０２６１】
制御部１３０は、上述の通信部１５０を選択的に活性化させ、ユーザ命令に対応する動作を行うことができる。例えば、制御部１３０は、無線通信モジュール１５４を介してウェブサーバにアクセスし、ウェブサーバからウェブページデータを受信することができる。制御部１３０は、ウェブページデータを用いてウェブページ画面を構成し、構成されたウェブページ画面をディスプレイ部１１０にディスプレイすることができる。
【０２６２】
一方、制御部１３０は、ベンディング操作やタッチ操作以外に音声入力やモーション入力を認識し、その入力に対応する動作を行うこともできる。この場合、音声認識部１６０またはモーション認識部１７０を活性化させることができる。
【０２６３】
音声認識部１６０は、マイク（図示せず）のような音声取得手段を用いてユーザの音声や外部音響を収集した後、制御部１３０に伝達する。制御部１３０は、音声制御モードで動作する場合、ユーザの音声が予め設定された音声コマンドと一致すると、ユーザの音声に対応するタスク（ｔａｓｋ）を行うことができる。音声を用いて制御可能なタスクとしては、音量調節、チャネル選択、チャネルザッピング、表示属性調節、再生、一時停止、巻き戻し、早送り、アプリケーション実行、メニュー選択、装置ターンオン、ターンオフ等のように、多様なタスクがあってよい。
【０２６４】
一方、モーション認識部１７０は、カメラのようなイメージ撮像手段（図示せず）を用いてユーザのイメージを獲得した後、制御部１３０に提供する。モーション制御モードで動作する場合、制御部１３０は、ユーザのイメージを分析してユーザが予め設定されたモーションコマンドに対応するモーションジェスチャを取ったと判断されると、そのモーションジェスチャに対応する動作を行う。一例として、チャネルザッピング、装置ターンオン、ターンオフ、一時停止、再生、停止、巻き戻し、早送り、消音等のような多様なタスクがモーションによって制御されてよい。音声で制御可能なタスク、モーションで制御可能なタスク等に対する上述の例は一例に過ぎず、それに限定されない。
【０２６５】
その他に、外部入力ポート１、２〜ｎ（１９０−１〜１９０−ｎ）は、それぞれ多様な外部機器と接続されて各種データやプログラム、制御命令等を受信することができる。具体的には、ＵＳＢポートや、ヘッドセットポート、マウスポート、ＬＡＮポート等を含んでよい。
【０２６６】
電源部１８００は、フレキシブルディスプレイ装置１００の各構成要素に電源を供給する構成要素である。電源部１８００は、正極集電体、正極電極、電解質部、負極電極、負極集電体及びそれを覆う被覆部を含む形態で実現されてよい。電源部１８００は、充放電が可能な２次電池で実現される。電源部１８００は、フレキシブルディスプレイ装置１００とともにベンディングできるようにフレキシブルな形態で実現されてよい。この場合、集電体、電極、電解質、被覆等は柔軟な特性を有する材質からなってよい。電源部１８００の具体的な形状及び材質については、具体的に後述する。
【０２６７】
図３１においては、フレキシブルディスプレイ装置１００に含まれ得る多様な構成要素について説明したが、フレキシブルディスプレイ装置１００が必ずしも全構成要素を含むとは限らず、これらの構成要素のみを含むものとして限定されるものでもない。すなわち、フレキシブルディスプレイ装置１００の製品種類に応じて構成要素の一部が省略されたり追加されてよく、または、他の構成要素に置き換えられてよい。
【０２６８】
制御部１３０は、上述の検知部１２０と、音声認識部１６０と、モーション認識部１７０等を介して認識されるユーザ操作に応じて各構成要素を制御し、各種動作を行う。
【０２６９】
図３２は、本発明の一実施形態に係る制御部の細部構成を説明するための図である。
図３２によると、制御部１３０は、システムメモリ１３１と、メインＣＰＵ１３２と、イメージプロセッサ１３３と、ネットワークインターフェース１３４と、保存部インターフェース１３５と、第１ないしｎインターフェース１３６−１〜１３６−ｎと、オーディオ処理部１３７及びシステムバス１３８を含む。
【０２７０】
システムメモリ１３１と、メインＣＰＵ１３２と、イメージプロセッサ１３３と、ネットワークインターフェース１３４と、保存部インターフェース１３５と、第１ないしｎインターフェース１３６−１〜１３６−ｎ及びオーディオ処理部１３７は、システムバス１３８を介して互いに接続され、各種データや信号等を送受信することができる。
【０２７１】
第１ないしｎインターフェース１３６−１〜１３６−ｎは、検知部１２０をはじめとする多様な構成要素と制御部１３０内の各構成要素間のインターフェーシングをサポートする。図３２では、検知部１２０が第１インターフェース１３６−１のみに接続されているものとして示しているが、図３２に示すように、検知部１２０が多様な複数のセンサを含む場合には、各センサごとにインターフェースを通じて接続されてよい。なお、第１ないしｎインターフェース１３６−１〜１３６−ｎのうち少なくとも１つは、フレキシブルディスプレイ装置１００のボディの部分に設けられたボタンや、外部入力ポート１ないしｎを通じて接続された外部装置から各種信号を受信する入力インターフェースで実現されてよい。
【０２７２】
システムメモリ１３１は、ＲＯＭ１３１−１及びＲＡＭ１３１−２を含む。ＲＯＭ１３１−１には、システムブートのための命令語セット等が保存される。ターンオン命令が入力されて電源が供給されると、メインＣＰＵ１３２は、ＲＯＭ１３１−１に保存された命令語に従って保存部１４０に保存されたＯ／ＳをＲＡＭ１３１−２にコピーし、Ｏ／Ｓを実行させてシステムをブートさせる。ブートが完了すると、メインＣＰＵ１３２は、保存部１４０に保存された各種アプリケーションプログラムをＲＡＭ１３１−２にコピーし、ＲＡＭ１３１−２にコピーされたアプリケーションプログラムを実行させて各種動作を行う。
【０２７３】
以上のように、メインＣＰＵ１３２は、保存部１４０に保存されたアプリケーションプログラムの実行に応じて多様な動作を行うことができる。
【０２７４】
保存部インターフェース１３５は、保存部１４０と接続されて、各種プログラムやコンテンツ、データ等を送受信する。
【０２７５】
一例として、ユーザが保存部１４０に保存されたコンテンツを生成してディスプレイするための再生命令に対応するタッチ操作を行うと、メインＣＰＵ１３２は、保存部インターフェース１３５を介して保存部１４０にアクセスし、保存されたコンテンツに対するリストを生成した後、そのリストをディスプレイ部１１０上にディスプレイする。このような状態で、ユーザが１つのコンテンツを選択するためのタッチ操作を実行すると、メインＣＰＵ１３２は、保存部１４０に保存されたコンテンツ再生プログラムを実行させる。コンテンツ再生プログラムに含まれた命令語に従ってメインＣＰＵ１３２は、イメージ処理部１３３を制御してコンテンツ再生画面を構成する。
【０２７６】
イメージ処理部１３３は、デコーダやレンダラ、スケーラ等を含んでよい。それにより、保存されたコンテンツをデコードし、デコードされたコンテンツデータをレンダリングしてフレームを構成し、構成されたフレームのサイズをディスプレイ部１１０の画面の大きさに合わせてスケーリングする。イメージ処理部１３３は、処理されたフレームをディスプレイ部１１０に提供して、ディスプレイする。
【０２７７】
その他に、オーディオ処理部１３７は、オーディオデータを処理し、スピーカ１８０のような音響出力手段で提供する構成要素を意味する。オーディオ処理部１３７は、保存部１４０に保存されたオーディオデータや通信部１５０を介して受信されたオーディオデータをデコードし、ノイズフィルタリングした後、適正デシベルに増幅する等のオーディオ信号処理を行うことができる。上述の例で、再生されるコンテンツが動画コンテンツである場合、オーディオ処理部１３７は、動画コンテンツからデマルチプレキシングされたオーディオデータを処理し、イメージ処理部１３３と同期させて出力できるようにスピーカ１８０に提供することができる。
【０２７８】
ネットワークインターフェース１３４は、通信部１５０を通じて外部装置と接続される部分である。例えば、メインＣＰＵ１３２は、ウェブブラウザプログラムが実行されると、ネットワークインターフェース１３４を介してウェブサーバにアクセスする。ウェブサーバからウェブページデータが受信されると、メインＣＰＵ１３２は、イメージ処理部１３３を制御してウェブページ画面を構成し、構成されたウェブページ画面をディスプレイ部１１０にディスプレイする。
【０２７９】
図３３は、上述の多様な実施形態に係る制御部１３０の動作をサポートするためのアプリケーションのソフトウェア構造を示す図である。図３３によると、保存部１４０には、ベースモジュール１９１０と、デバイス管理モジュール１９２０と、通信モジュール１９３０と、プレゼンテーションモジュール１９４０と、ウェブブラウザモジュール１９５０及びサービスモジュール１９６０を含む。
【０２８０】
ベースモジュール１９１０とは、フレキシブルディスプレイ装置１００に含まれた各ハードウェアから伝達される信号を処理し、上位レイヤモジュールに伝達する基礎モジュールを意味する。
【０２８１】
ベースモジュール１９１０は、ストレージモジュール１９１１と、位置基盤モジュール１９１２と、セキュリティモジュール１９１３及びネットワークモジュール１９１４等を含む。
【０２８２】
ストレージモジュール１９１１とは、データベース（ＤＢ）やレジストリを管理するプログラムモジュールである。位置基盤モジュール１９１２とは、ＧＰＳチップのようなハードウェアと連動して位置基盤サービスをサポートするプログラムモジュールである。セキュリティモジュール１９１３とは、ハードウェアに対する認証（Ｃｅｒｔｉｆｉｃａｔｉｏｎ）、要求許容（Ｐｅｒｍｉｓｓｉｏｎ）、セキュリティ保存（Ｓｅｃｕｒｅ  Ｓｔｏｒａｇｅ）等をサポートするプログラムモジュールであり、ネットワークモジュール１９１４とは、ネットワーク接続をサポートするためのモジュールとして、ＤＮＥＴモジュールやＵＰｎＰモジュール等を含む。
【０２８３】
デバイス管理モジュール１９２０は、外部入力及び外部デバイスに対する情報を管理し、それを利用するためのモジュールである。デバイス管理モジュール１９２０は、センシングモジュール１９２１と、デバイス情報管理モジュール１９２２及び遠隔制御モジュール１９２３等を含んでよい。
【０２８４】
センシングモジュール１９２１は、検知部１２０内の各種センサから提供されるセンサデータを分析するモジュールである。具体的には、物体の位置やユーザの位置、色相、形、大きさ及びその他のプロフィールを検出する動作を行うプログラムモジュールである。センシングモジュール１９２１は、顔認識モジュール、音声認識モジュール、モーション認識モジュール、ＮＦＣ認識モジュール等を含んでよい。デバイス情報管理モジュール１９２２は、各種デバイスに対する情報を提供するモジュールであり、遠隔制御モジュール１９２３は、電話やテレビ、プリンタ、カメラ、エアコン等のような周辺デバイスを遠隔から制御する動作を行うプログラムモジュールである。
【０２８５】
通信モジュール１９３０は、外部と通信を行うためのモジュールである。通信モジュール１９３０は、メッセンジャプログラム、ＳＭＳ（Ｓｈｏｒｔ  Ｍｅｓｓａｇｅ  Ｓｅｒｖｉｃｅ）＆ＭＭＳ（Ｍｕｌｔｉｍｅｄｉａ  Ｍｅｓｓａｇｅ  Ｓｅｒｖｉｃｅ）プログラム、Ｅメールプログラム等のようなメッセージングモジュール１９３１と、電話情報収集器（Ｃａｌｌ  Ｉｎｆｏ  Ａｇｇｒｅｇａｔｏｒ）プログラムモジュール、ＶｏＩＰモジュール等を含む電話モジュール１９３２を含んでよい。
【０２８６】
プレゼンテーションモジュール１９４０は、ディスプレイ画面を構成するためのモジュールである。プレゼンテーションモジュール１９４０は、マルチメディアコンテンツを再生して出力するためのマルチメディアモジュール１９４１と、ＵＩ及びグラフィック処理を行うＵＩ＆グラフィックモジュール１９４２を含む。マルチメディアモジュール１９４１は、プレーヤモジュールやカムコーダーモジュール、サウンド処理モジュール等を含んでよい。それにより、各種マルチメディアコンテンツを再生して、画面及び音響を生成して再生する動作を行う。ＵＩ＆グラフィックモジュール１９４２は、イメージを組み合わせるイメージ合成器（Ｉｍａｇｅ  Ｃｏｍｐｏｓｉｔｏｒ  Ｍｏｄｕｌｅ）１９４２−１、イメージをディスプレイする画面上の座標を組み合わせて生成する座標組み合わせモジュール１９４２−２、ハードウェアから各種イベントを受信するＸ１１モジュール１９４２−３、２Ｄまたは３Ｄ形態のＵＩを構成するためのツール（Ｔｏｏｌ）を提供する２Ｄ／３Ｄ  ＵＩツールキット１９４２−４等を含んでよい。
【０２８７】
ウェブブラウザモジュール１９５０は、ウェブブラウジングを行ってウェブサーバにアクセスするモジュールを意味する。ウェブブラウザモジュール１９５０は、ウェブページを構成するウェブビュー（ｗｅｂ  ｖｉｅｗ）モジュール、ダウンロードを行うダウンロードエージェントモジュール、ブックマークモジュール、ウェブキット（Ｗｅｂｋｉｔ）モジュール等のような多様なモジュールを含んでよい。
【０２８８】
その他に、サービスモジュール１９６０は、多様なサービスを提供するためのアプリケーションモジュールを意味する。例えば、サービスモジュール１９６０は、マップや現在位置、ランドマーク、ルート情報等を提供するナビゲーションサービスモジュール、ゲームモジュール、広告アプリケーションモジュール等のような多様なモジュールを含んでよい。
【０２８９】
制御部１３０内のメインＣＰＵ１３２は、保存部インターフェース１３５を介して保存部１４０にアクセスし、保存部１４０に保存された各種モジュールをＲＡＭ１３１−２にコピーし、コピーされたモジュールの動作に応じて動作を行う。
【０２９０】
具体的には、メインＣＰＵ１３２は、センシングモジュール１９２１を用いて検知部１２０内の各種センサの出力値を分析し、ベンディング領域、ベンディングライン、ベンディング方向、ベンディング回数、ベンディング角度、ベンディング速度、タッチ領域、タッチ回数、タッチ強度、圧力の大きさ、近接の程度等を確認した後、確認結果に基づいて入力されるユーザの操作を判断する。メインＣＰＵ１３２は、ユーザの操作が意図されたものと判断されると、ストレージモジュール１９１０のデータベース（ＤＢ）からユーザの操作に対応する動作に対する情報を検出する。そして、検出された情報に対応するモジュールを駆動させ、動作を行う。
【０２９１】
一例として、ＧＵＩ（Ｇｒａｐｈｉｃ  Ｕｓｅｒ  Ｉｎｔｅｒｆａｃｅ）表示動作の場合なら、メインＣＰＵ１３２は、プレゼンテーションモジュール１９４０内のイメージ組み合わせモジュール１９４２−１を用いて、ＧＵＩ画面を構成する。そして、座標組み合わせモジュール１９４２−２を用いて、ＧＵＩ画面の位置情報を決定し、その位置にＧＵＩ画面を表示するようにディスプレイ部１１０を制御する。
【０２９２】
または、メッセージ受信動作に対応するユーザ操作が行われた場合には、メインＣＰＵ１３２はメッセージングモジュール１９４１を実行させ、メッセージ管理サーバにアクセスした後、ユーザアカウントに保存されたメッセージを受信する。そして、メインＣＰＵ１３２は、プレゼンテーションモジュール１９４０を用いて、受信されたメッセージに対応する画面を構成した後、ディスプレイ部１４０に表示される。
【０２９３】
その他に、電話による通話動作を行う場合には、メインＣＰＵ１３２は電話モジュール１９３２を駆動させることもできる。
【０２９４】
以上のように、保存部１４０には、多様な構造のプログラムが保存されていてよく、制御部１３０は保存部１４０に保存された各種プログラムを用いて上述の多様な実施形態に係る動作を行うことができる。
【０２９５】
図３４は、本体に内蔵されたフレキシブルディスプレイ装置の形態に一例を示す図である。図３５によると、フレキシブルディスプレイ装置１００は、本体２０００と、ディスプレイ部１１０と、グリップ部２０１０を含んでよい。
【０２９６】
本体２０００は、ディスプレイ部１１０を収める一種の筐体の役割を担う。フレキシブルディスプレイ装置１００が、図３１のように、多様な構成要素を含む場合、ディスプレイ部１１０及び一部センサを除く残りの構成要素は本体２０００に搭載されてよい。本体２０００は、ディスプレイ部１１０をローリングさせる回転ローラを含む。それにより、未使用時にはディスプレイ部１１０は回転ローラを中心にローリングされ、本体２０００の内部に内蔵されてよい。
【０２９７】
ユーザがグリップ部２０１０を把持して引っ張るようになると、回転ローラがローリングの反対方向に回転しながらローリングが解除され、ディスプレイ部１１０が本体２０００の外部に飛び出るようになる。回転ローラには、ストッパーが設けられてよい。それにより、ユーザがグリップ部２０１０を一定距離以上に引っ張ると、ストッパーによって回転ローラの回転が停止され、ディスプレイ部１１０が固定されてよい。それにより、ユーザは外部に露出しているディスプレイ部１１０を用いて各種機能を実行させることができる。一方、ユーザがストッパーを解除するためのボタンを押すと、ストッパーが解除されつつ、回転ローラが逆方向に回転し、結果的に、ディスプレイ部１１０が本体２０００内に再びローリングされてよい。ストッパーは、回転ローラを回転させるためのギアの動作を停止させるスイッチ形状であってよい。回転ローラ及びストッパーに対しては、通常のローリング構造体で使用される構造がそのまま利用されてよいことから、それに対する具体的な図示及び説明は省略する。
【０２９８】
一方、本体２０００には、電源部１８００が含まれる。電源部１８００は、使い捨てのバッテリが装着されたバッテリ接続部と、ユーザが複数回充電して使用できる２次電池、太陽熱を用いて発電を行う太陽電池等のように、多様な形態で実現されてよい。２次電池で実現される場合、ユーザは本体２０００と外部電源を有線で接続して電源部１８００を充電させることができる。
【０２９９】
図３４では、円筒型構造の本体２０００が示されているが、本体２０００の形状は四角やその他の多角形のように実現されてよい。なお、ディスプレイ部１１０が本体２０００から内蔵された状態で、プーリング（Ｐｕｌｌｉｎｇ）によって外部に露出される形態ではなく、本体の外部を包む形態やその他の多様な形態で実現されてよい。
【０３００】
図３５は、本発明の一実施形態に係るフレキシブルディスプレイ装置を示す図である。図３５によると、電源部１８００は、フレキシブルディスプレイ装置の一側の周縁に設けられ、脱・付着されてよい。
【０３０１】
電源部１８００は、フレキシブルな材質で実現され、ディスプレイ部１１０とともにベンディングされてよい。具体的に、電源部１８００は、負極集電体、負極電極、電解質部、正極電極、正極集電体及びこれらを覆う被覆部を含んでよい。
【０３０２】
一例として、集電体は、弾性特性が優れたＴｉＮｉ系のような合金類、銅アルミニウム等のような純金属類、炭素がコーティングされた純金属、炭素、炭素繊維等のような導電性物質、ポリピロールのような伝導性高分子等で実現されてよい。
【０３０３】
負極電極は、リチウム、ナトリウム、亜鉛、マグネシウム、カドミウム、水素吸蔵合金、鉛等の金属類と、炭素等の非金属類、そして、有機硫のような高分子電極物質のような負電極物質で製作されてよい。
【０３０４】
正極電極は、硫及び硫化物、ＬｉＣｏＯ２等のリチウム遷移金属酸化物、ＳＯＣｌ２、ＭｎＯ２、Ａｇ２Ｏ、Ｃｌ２、ＮｉＣｌ２、ＮｉＯＯＨ、高分子電極等の正電極物質で製作されてよい。電解質部は、ＰＥＯ、ＰＶｄＦ、ＰＭＭＡ、ＰＶＡＣ等を利用したジェル（ｇｅｌ）状に実現されてよい。
【０３０５】
被覆部は、通常の高分子樹脂を使用してよい。例えば、ＰＶＣ、ＨＤＰＥやエポシキ樹脂等が使用されてよい。その他に、糸状の電池の破損を防止しつつ、自由に曲がることができる材質なら、被覆部として使用されてよい。
【０３０６】
電源部１８００内の正極電極及び負極電極は、それぞれ外部と電気的に接続するためのコネクタを含んでよい。
【０３０７】
図３５によると、コネクタが電源部１８００から突出している形態で形成され、ディスプレイ部１１０にはコネクタの位置、大きさ、形状に対応する溝が形成される。それにより、コネクタ及び溝の結合によって電源部１８００がディスプレイ部１１０と結合されてよい。電源部１８００のコネクタは、フレキシブルディスプレイ装置１００の内部の電源接続パッド（図示せず）と接続されて電源を供給することができる。
【０３０８】
図３５では、電源部１８００がフレキシブルディスプレイ装置１００の一側の周縁で脱・付着自在な形態で示しているが、それは一例に過ぎず、電源部１８００の位置及び形態は製品の特性に応じて多様に異なってよい。仮に、フレキシブルディスプレイ装置１００がある程度の厚さを有する製品である場合には、フレキシブルディスプレイ装置１００の背面に電源部１８００が装着されてよい。
【０３０９】
図３６は、本発明の一実施形態に係るフレキシブルディスプレイ装置のディスプレイ方法を説明するためのフローチャートである。
【０３１０】
まず、ディスプレイ部の画面上の第１位置に客体をディスプレイする（Ｓ２１１０）。すなわち、画面上の所定位置に客体をディスプレイすることができ、ここで、所定の位置は製造時に設定されたり、ユーザによって設定及び変更可能である。
その後、ディスプレイ部のベンディングを検知する（Ｓ２１２０）。
【０３１１】
そして、検知されたベンディングの位置に基づいて客体が移動する。客体が画面上の予め設定された第２位置に移動されると、第２位置にマッピングされた機能を行う（Ｓ２１３０）。
【０３１２】
具体的に、画面上にディスプレイされた客体の位置、画面上でベンディングの行われた領域、ベンディング方向、ベンディングの程度、ベンディングの持続（または、維持時間）のうち、少なくとも１つに基づいて、画面上にディスプレイされた客体の  移動方向、移動距離及び移動速度等を判断し、判断結果に応じて客体を移動させると同時にディスプレイすることができる。そして、客体の移動に対応する機能が行われるように制御することができる。
ここで、画面はロック画面であり、ロック画面上における客体がベンディングにおって予め設定された第２位置に移動すると、ロック状態を解除するロック解除動作を行うことができる。
【０３１３】
一方、ロック状態が解除されるとメイン画面をディスプレイし、メイン画面上で１つのメニューが選択されるとメニューに対応する機能を実行させ、実行結果画面をディスプレイすることができる。
【０３１４】
そして、実行結果画面がディスプレイされている状態でディスプレイ部が第１方向にベンディングされると、実行結果画面に含まれた少なくとも１つの客体を実行結果画面の周縁領域に整列してディスプレイすることができる。この場合、周縁領域に整列される少なくとも１つの客体の大きさ及び形状のうち少なくとも１つを調整することができる。
【０３１５】
一方、少なくとも１つの客体が前記周縁領域に整列されてディスプレイされた状態で、ディスプレイ部が第１方向の反対である第２方向にベンディングされると、少なくとも１つの客体を元の状態に復帰させてディスプレイすることができる。
【０３１６】
一方、ロック画面上の客体が予め設定された第２位置に移動すると、ロック解除動作を行い、第２位置にマッチングされた動作を自動的に行うことができる。例えば、第２位置にマッチングされた動作はディスプレイ装置にインストールされたアプリケーションを実行させる動作であってよい。
【０３１７】
なお、画面は、通話接続メニュー及び通話拒否メニューを更に含む電話接続画面であり、電話接続画面上の客体がベンディングによって通話接続メニューの表示された位置に移動すると通話接続動作を行い、客体が通話拒否メニューの表示された位置に移動すると通話拒否動作を行うことができる。
【０３１８】
一方、ディスプレイ部のベンディングの程度に応じて客体の移動距離を異なるように調整することができる。すなわち、ベンディングの程度に比例するように客体の移動距離を調整することができる。それにより、同一のベンディング維持時間の間、ベンディングの程度が大きいほど客体の移動距離は多くなる。しかし、それは一例に過ぎず、ベンディングの程度が大きいほど客体の移動速度が速くなってよい。
【０３１９】
以上のような実施形態については、添付の図を参照して説明しているため、繰り返し説明は省略する。
【０３２０】
なお、本発明に係るディスプレイ方法を順次に行うプログラムが保存された非一時的な読み取り可能な媒体（Ｎｏｎ−ｔｒａｎｓｉｔｏｒｙ  ｃｏｍｐｕｔｅｒ  ｒｅａｄａｂｌｅ  ｍｅｄｉｕｍ）が提供されてよい。
【０３２１】
非一時的な読み取り可能な媒体とは、レジスタやキャッシュ、メモリ等のような短い間データを保存する媒体ではなく、半永久的にデータを保存し、機器によって読み取り（Ｒｅａｄｉｎｇ）が可能な媒体を意味する。具体的には、上述の多様なアプリケーションまたはプログラムは、ＣＤやＤＶＤ、ハードディスク、ブルーレイディスク、ＵＳＢ、メモリカード、ＲＯＭ等のような非一時的な読み取り可能な媒体に保存されて提供されてよい。
【０３２２】
なお、ディスプレイ装置について示したブロック図では、バス（ｂｕｓ）を図示していないが、ディスプレイ装置で各構成要素間の通信はバスを通じて行われてよい。なお、ディスプレイ装置には、上述の多様なステップを行うＣＰＵ、マイクロプロセッサ等のようなプロセッサが更に含まれてよい。
【０３２３】
以上、添付図面を参照しながら本発明の好適な実施形態について詳細に説明したが、本発明は以上の実施形態に限定されない。本発明の属する技術の分野における通常の知識を有する者であれば、特許請求の範囲に記載された技術的趣旨の範疇内において、各種の変更例または修正例に想到し得ることは明らかであり、これらについても、当然に本発明の技術的範囲に属するものと了解される。
【符号の説明】
【０３２４】
１００    フレキシブルディスプレイ装置
１１０    ディスプレイ部
１２０    検知部
１３０    制御部
【図１】
2015535974.tif 000003
【図２】
2015535974.tif 000004
【図３（ａ）】
2015535974.tif 000005
【図３（ｂ）】
2015535974.tif 000006
【図３（ｃ）】
2015535974.tif 000007
【図３（ｄ）】
2015535974.tif 000008
【図４（ａ）】
2015535974.tif 000009
【図４（ｂ）】
2015535974.tif 000010
【図５】
2015535974.tif 000011
【図６（ａ）】
2015535974.tif 000012
【図６（ｂ）】
2015535974.tif 000013
【図６（ｃ）】
2015535974.tif 000014
【図７（ａ）】
2015535974.tif 000015
【図７（ｂ）】
2015535974.tif 000016
【図８】
2015535974.tif 000017
【図９】
2015535974.tif 000018
【図１０】
2015535974.tif 000019
【図１１】
2015535974.tif 000020
【図１２】
2015535974.tif 000021
【図１３】
2015535974.tif 000022
【図１４】
2015535974.tif 000023
【図１５】
2015535974.tif 000024
【図１６】
2015535974.tif 000025
【図１７】
2015535974.tif 000026
【図１８】
2015535974.tif 000027
【図１９】
2015535974.tif 000028
【図２０】
2015535974.tif 000029
【図２１】
2015535974.tif 000030
【図２２】
2015535974.tif 000031
【図２３】
2015535974.tif 000032
【図２４】
2015535974.tif 000033
【図２５】
2015535974.tif 000034
【図２６】
2015535974.tif 000035
【図２７】
2015535974.tif 000036
【図２８】
2015535974.tif 000037
【図２９】
2015535974.tif 000038
【図３０】
2015535974.tif 000039
【図３１】
2015535974.tif 000040
【図３２】
2015535974.tif 000041
【図３３】
2015535974.tif 000042
【図３４】
2015535974.tif 000043
【図３５】
2015535974.tif 000044
【図３６】
2015535974.tif 000045
【国際調査報告】
2015535974.tif 000046
2015535974.tif 000047